(57)【要約】【課題】気軽かつモチベーションを維持しながら日記を付けることを支援するプログラムが求められていた。【解決手段】本発明のプログラムは、音声データの送信先ユーザを設定する処理と、送信先ユーザの端末装置において当該音声データの再生が可能となるタイミングを設定する処理と、録音処理と、録音処理によって生成される音声データを、録音された日時と関連付けた状態でデータ管理サーバへ送信する処理と、前記ユーザを送信先ユーザとして設定している他のユーザの音声データを、録音処理が行われた日時と関連付けた状態で受信する処理と、前記他のユーザの音声データであって、再生可能タイミングを経過している音声データとリンク付けされているアイコンを所定の領域に配置した画面を表示パネルに表示する処理と、アイコンにリンク付けされている音声データを再生する処理と、を情報処理装置に実行させる。【選択図】図５５
2015176164.tif 000002
【特許請求の範囲】
【請求項１】
複数の携帯端末装置とデータ管理サーバとを含んで構成されるデータ管理システムであって、
前記携帯端末装置は、
第1のユーザからの送信先ユーザ設定指示に基づいて音声データの送信先となる送信先ユーザを設定する処理を行う送信先ユーザ設定処理手段と、
前記第1ユーザからの再生可能タイミング設定指示に基づいて、前記送信先ユーザの端末装置において前記音声データの再生が可能となるタイミングを設定する処理を行う再生可能タイミング設定処理手段と、
前記第1ユーザからの録音開始指示に基づいて録音処理を行う録音処理手段と、
前記録音処理によって生成される音声データを、録音処理が行われた日時と関連付けた状態で記憶する処理を行う第1ユーザ音声データ記憶処理手段と、
前記録音処理で生成された音声データを録音された日時と関連付けた状態で所定のデータ管理サーバへ送信する処理を行う音声データ送信処理手段と、
前記第1ユーザを送信先ユーザとして設定している他のユーザの音声データを、前記他のユーザの端末装置において録音処理が行われた日時と関連付けた状態で受信する音声データ受信手段と、
前記受信された他のユーザの音声データを前記他のユーザの端末装置において録音処理が行われた日時と関連付けた状態で記憶する処理を行う第2ユーザ音声データ記憶処理手段と、
前記記憶されている他のユーザの音声データであって、再生可能タイミングを経過している音声データとリンク付けされているアイコンを所定の領域に配置した画面を表示パネルに表示する処理を行う表示処理手段と、
前記アイコンに対する指示操作に基づいて、前記アイコンにリンク付けされている音声データを再生する処理を行う音声再生処理手段と、
を具備し、
前記データ管理サーバは、
音声データの送信元ユーザとなる第1ユーザと、送信先ユーザとなる第2ユーザを関連付けた状態で登録するユーザ情報登録手段と、
前記第1ユーザの音声データを第2ユーザが再生可能となるタイミングに係る再生可能タイミング情報を登録する再生可能タイミング情報登録手段と、
前記第1ユーザの音声データを受信するサーバ側音声データ受信手段と、
前記第1ユーザの音声データを前記第2ユーザへ送信する処理を行うサーバ側音声データ送信処理手段と、
を具備するデータ管理システム。
【請求項２】
ユーザからの送信先ユーザ設定指示に基づいて音声データの送信先となる送信先ユーザを設定する処理を行う送信先ユーザ設定処理手段と、
前記ユーザからの再生可能タイミング設定指示に基づいて、前記送信先ユーザの端末装置において前記音声データの再生が可能となるタイミングを設定する処理を行う再生可能タイミング設定処理手段と、
前記ユーザからの録音開始指示に基づいて録音処理を行う録音処理手段と、
前記録音処理によって生成される音声データを、録音処理が行われた日時と関連付けた状態で記憶する処理を行う第1ユーザ音声データ記憶処理手段と、
前記録音処理で生成された音声データを録音された日時と関連付けた状態で所定のデータ管理サーバへ送信する処理を行う音声データ送信処理手段と、
前記ユーザを送信先ユーザとして設定している他のユーザの音声データを、前記他のユーザの端末装置において録音処理が行われた日時と関連付けた状態で受信する音声データ受信手段と、
前記受信された他のユーザの音声データを前記他のユーザの端末装置において録音処理が行われた日時と関連付けた状態で記憶する処理を行う第2ユーザ音声データ記憶処理手段と、
前記記憶されている他のユーザの音声データであって、再生可能タイミングを経過している音声データとリンク付けされているアイコンを所定の領域に配置した画面を表示パネルに表示する処理を行う表示処理手段と、
前記アイコンに対する指示操作に基づいて、前記アイコンにリンク付けされている音声データを再生する処理を行う音声再生処理手段と、
を具備する携帯端末装置。
【請求項３】
前記他のユーザによって設定されている再生可能タイミングに係る再生可能タイミング情報を登録する処理を行う再生可能タイミング情報登録手段と、
前記再生可能タイミング情報に基づいて、前記記憶されている他のユーザの音声データであって、前記音声データが生成された日時から前記再生可能タイミング情報で示される期間が経過したタイミングである再生可能可能タイミングを経過した音声データを再生可能状態に変更する処理を行う再生可能状態変更処理手段と、
を更に具備し、
前記表示処理手段は、前記記憶されている他のユーザの音声データであって、再生可能状態に変更されている音声データとリンク付けされているアイコンを所定の領域に配置した画面を表示パネルに表示する処理を行う、
請求項2に記載の携帯端末装置。
【請求項４】
所定の期間において、前記音声データの録音処理を行う条件を管理する音声データ録音条件管理手段を更に具備し、
ユーザより録音開始指示が入力された場合であって、前記音声データ録音条件管理手段が管理する前記音声データの録音処理を行うための条件を満たしている場合に、前記録音処理手段は録音処理を開始する、
請求項１又は２に記載の携帯端末装置。
【請求項５】
音声データの送信元ユーザとなる第1ユーザと、送信先ユーザとなる第2ユーザを関連付けた状態で登録するユーザ情報登録手段と、
前記第1ユーザの音声データに対して第2ユーザがアクセス可能となるタイミングに係るアクセス可能タイミング情報を登録するアクセス可能タイミング情報登録手段と、
前記第1ユーザの音声データを受信する音声データ受信手段と、
前記第1ユーザの音声データを所定のフォルダに格納する音声データ格納手段と、
前記所定のフォルダに格納されている音声データであって前記アクセス可能タイミング情報に基づいて決定されるアクセス可能タイミングを経過している音声データに対する前記第2ユーザからのアクセスを受けた場合に、前記第2ユーザへ前記音声データを送信する処理を行う音声データ送信処理手段と、
を具備するデータ管理サーバ。
【請求項６】
前記音声データ送信処理手段は、前記所定のフォルダに格納されている前記第1ユーザの音声データであって、前記音声データが生成された日時から前記アクセス可能タイミング情報で示される期間が経過したタイミングであるアクセス可能タイミングを経過している音声データに対する前記第2ユーザからのアクセスを受けた場合に、前記第2ユーザへ前記音声データを送信する処理を行う、
請求項５に記載のデータ管理サーバ。
【請求項７】
ユーザからの送信先ユーザ設定指示に基づいて音声データの送信先となる送信先ユーザを設定する処理を行う送信先ユーザ設定処理ステップと、
前記ユーザからの再生可能タイミング設定指示に基づいて、前記送信先ユーザの端末装置において前記音声データの再生が可能となるタイミングを設定する処理を行う再生可能タイミング設定処理ステップと、
前記ユーザからの録音開始指示に基づいて録音処理を行う録音処理ステップと、
前記録音処理によって生成される音声データを、録音処理が行われた日時と関連付けた状態で記憶する処理を行う第1ユーザ音声データ記憶処理ステップと、
前記録音処理で生成された音声データを録音された日時と関連付けた状態で所定のデータ管理サーバへ送信する処理を行う音声データ送信処理ステップと、
前記ユーザを送信先ユーザとして設定している他のユーザの音声データを、前記他のユーザの端末装置において録音処理が行われた日時と関連付けた状態で受信する処理を行う音声データ受信処理ステップと、
前記受信された他のユーザの音声データを前記他のユーザの端末装置において録音処理が行われた日時と関連付けた状態で記憶する処理を行う第2ユーザ音声データ記憶処理ステップと、
前記記憶されている他のユーザの音声データであって、再生可能タイミングを経過している音声データとリンク付けされているアイコンを所定の領域に配置した画面を表示パネルに表示する処理を行う表示処理ステップと、
前記アイコンに対する指示操作に基づいて、前記アイコンにリンク付けされている音声データを再生する処理を行う音声再生処理ステップと、
を情報処理装置に実行させるプログラム。
【請求項８】
再生可能タイミングを示す再生可能タイミング情報を登録する再生可能タイミング情報登録ステップと、
前記再生可能タイミング情報に基づいて、前記記憶されている他のユーザの音声データであって、前記再生可能タイミングを経過した音声データを再生可能状態に変更する処理を行う再生可能状態変更処理ステップと、
を情報処理装置に更に実行させる請求項７に記載のプログラム。
【請求項９】
所定の期間において、前記音声データの録音処理を行う条件を管理する音声データ録音条件管理ステップを更に情報処理装置に実行させ、
前記録音処理ステップは、前記ユーザから録音開始指示が入力された場合であって、前記音声データの録音処理を行うための条件を満たしている場合に、前記情報処理装置によって実行される請求項７又は８に記載のプログラム。
【発明の詳細な説明】
【技術分野】
【０００１】
本発明は、データ管理システム、データ管理サーバ、データ管理方法、データ管理プログラム、携帯端末装置に関する。
【背景技術】
【０００２】
大人になるにつれて日々の生活はルーティン化し、一日の重みが薄くなる。確かに過ごしたはずの一日は記憶の彼方に消え去る。このような人生の希釈化を防止する手段として日記がある。近年はＷｅｂ上にブログとして日記を公開する技術も確立されている。日記を付ける人達は自身を手掛かりに過去の人生を思い出すことができる。
【０００３】
特許文献１には、時間順序配列で記憶されたマルチメディアファイルを自身のブログで手軽に公開する技術が開示されている。
【先行技術文献】
【特許文献】
【０００４】
【特許文献１】特開２００７−２１３５４７号公報
【発明の開示】
【発明が解決しようとする課題】
【０００５】
本来、日記とは自分自身のために付けるものである。しかしながら、本格的な日記を書こうとすると、やがて煩わしさが募ってくるため日記を付けない日が出てくる。そして、空白のページが増加してくると日記をつけるモチベーションが低下してしまい、日記を全く付けなくなると言った事態がしばしば発生する。
【０００６】
これに対し、ブログは外部に公表することを目的としたウェブ上の日記である。このようなブログの閲覧者の大部分は家族や友人など固定された人達である。自身の体験をより多くの他者と共有することが主目的となるため、アクセス数を稼ぐことが持続のモチベーションとなる。しかしながら、面白い出来事が毎日振ってくることなど無く、やがてアクセス数が低下していき、ブログを更新しなくなると言った事態がしばしば発生する。
【０００７】
日記やブログは継続して付けることで価値が高まるという性質を有する。特許文献１の技術では、凝ったブログを作成可能である一方でそれが一種の義務感を想起させるため、煩わしさの増大を招き、やがてブログを付けなくなると言う問題が発生していた。
【０００８】
上記課題を鑑み、本発明は、気軽かつモチベーションを維持しながら日記を付けることを支援するデータ管理システム、携帯端末装置、データ管理サーバおよびプログラムを提供することを目的とする。
【課題を解決するための手段】
【０００９】
本発明の一態様であるデータ管理システムは、複数の携帯端末装置とデータ管理サーバとを含んで構成されるデータ管理システムであって、前記携帯端末装置は、第１のユーザからの送信先ユーザ設定指示に基づいて音声データの送信先となる送信先ユーザを設定する処理を行う送信先ユーザ設定処理手段と、前記第１ユーザからの再生可能タイミング設定指示に基づいて、前記送信先ユーザの端末装置において前記音声データの再生が可能となるタイミングを設定する処理を行う再生可能タイミング設定処理手段と、前記第１ユーザからの録音開始指示に基づいて録音処理を行う録音処理手段と、前記録音処理によって生成される音声データを、録音処理が行われた日時と関連付けた状態で記憶する処理を行う第１ユーザ音声データ記憶処理手段と、前記録音処理で生成された音声データを録音された日時と関連付けた状態で所定のデータ管理サーバへ送信する処理を行う音声データ送信処理手段と、前記第１ユーザを送信先ユーザとして設定している他のユーザの音声データを、前記他のユーザの端末装置において録音処理が行われた日時と関連付けた状態で受信する音声データ受信手段と、前記受信された他のユーザの音声データを前記他のユーザの端末装置において録音処理が行われた日時と関連付けた状態で記憶する処理を行う第２ユーザ音声データ記憶処理手段と、前記記憶されている他のユーザの音声データであって、再生可能タイミングを経過している音声データとリンク付けされているアイコンを所定の領域に配置した画面を表示パネルに表示する処理を行う表示処理手段と、前記アイコンに対する指示操作に基づいて、前記アイコンにリンク付けされている音声データを再生する処理を行う音声再生処理手段と、を具備し、前記データ管理サーバは、音声データの送信元ユーザとなる第１ユーザと、送信先ユーザとなる第２ユーザを関連付けた状態で登録するユーザ情報登録手段と、前記第１ユーザの音声データを第２ユーザが再生可能となるタイミングに係る再生可能タイミング情報を登録する再生可能タイミング情報登録手段と、
前記第１ユーザの音声データを受信するサーバ側音声データ受信手段と、前記第１ユーザの音声データを前記第２ユーザへ送信する処理を行うサーバ側音声データ送信処理手段と、を具備する。
【００１０】
本発明の別の一態様である携帯端末装置は、ユーザからの送信先ユーザ設定指示に基づいて音声データの送信先となる送信先ユーザを設定する処理を行う送信先ユーザ設定処理手段と、前記ユーザからの再生可能タイミング設定指示に基づいて、前記送信先ユーザの端末装置において前記音声データの再生が可能となるタイミングを設定する処理を行う再生可能タイミング設定処理手段と、前記ユーザからの録音開始指示に基づいて録音処理を行う録音処理手段と、前記録音処理によって生成される音声データを、録音処理が行われた日時と関連付けた状態で記憶する処理を行う第１ユーザ音声データ記憶処理手段と、前記録音処理で生成された音声データを録音された日時と関連付けた状態で所定のデータ管理サーバへ送信する処理を行う音声データ送信処理手段と、前記ユーザを送信先ユーザとして設定している他のユーザの音声データを、前記他のユーザの端末装置において録音処理が行われた日時と関連付けた状態で受信する音声データ受信手段と、前記受信された他のユーザの音声データを前記他のユーザの端末装置において録音処理が行われた日時と関連付けた状態で記憶する処理を行う第２ユーザ音声データ記憶処理手段と、前記記憶されている他のユーザの音声データであって、再生可能タイミングを経過している音声データとリンク付けされているアイコンを所定の領域に配置した画面を表示パネルに表示する処理を行う表示処理手段と、前記アイコンに対する指示操作に基づいて、前記アイコンにリンク付けされている音声データを再生する処理を行う音声再生処理手段と、を具備する。
【００１１】
本発明の別の一態様であるデータ管理サーバは、音声データの送信元ユーザとなる第１ユーザと、送信先ユーザとなる第２ユーザを関連付けた状態で登録するユーザ情報登録手段と、  前記第１ユーザの音声データに対して第２ユーザがアクセス可能となるタイミングに係るアクセス可能タイミング情報を登録するアクセス可能タイミング情報登録手段と、前記第１ユーザの音声データを受信する音声データ受信手段と、前記第１ユーザの音声データを所定のフォルダに格納する音声データ格納手段と、前記所定のフォルダに格納されている音声データであって前記アクセス可能タイミング情報に基づいて決定されるアクセス可能タイミングを経過している音声データに対する前記第２ユーザからのアクセスを受けた場合に、前記第２ユーザへ前記音声データを送信する処理を行う音声データ送信処理手段と、を具備する。
【００１２】
本発明の別の一態様であるプログラムは、ユーザからの送信先ユーザ設定指示に基づいて音声データの送信先となる送信先ユーザを設定する送信先ユーザ設定処理ステップと、前記ユーザからの再生可能タイミング設定指示に基づいて、前記送信先ユーザの端末装置において前記音声データの再生が可能となるタイミングを設定する再生可能タイミング設定処理ステップと、前記ユーザからの録音開始指示に基づいて録音を行う録音処理ステップと、前記録音処理によって生成される音声データを、録音処理が行われた日時と関連付けた状態で記憶する第１ユーザ音声データ記憶処理ステップと、前記録音処理で生成された音声データを録音された日時と関連付けた状態で所定のデータ管理サーバへ送信する音声データ送信処理ステップと、前記ユーザを送信先ユーザとして設定している他のユーザの音声データを、前記他のユーザの端末装置において録音処理が行われた日時と関連付けた状態で受信する音声データ受信処理ステップと、前記受信された他のユーザの音声データを前記他のユーザの端末装置において録音処理が行われた日時と関連付けた状態で記憶する第２ユーザ音声データ記憶処理ステップと、前記記憶されている他のユーザの音声データであって、再生可能タイミングを経過している音声データとリンク付けされているアイコンを所定の領域に配置した画面を表示パネルに表示する表示処理ステップと、前記アイコンに対する指示操作に基づいて、前記アイコンにリンク付けされている音声データを再生する処理を行う音声再生処理ステップと、を情報処理装置に実行させる。
【発明の効果】
【００１３】
本発明によれば、気軽かつモチベーションを維持しながら日記を付けることを支援することが可能となる。その結果、日記を付ける習慣が定着し、人生をより充実させることが可能となる。
【図面の簡単な説明】
【００１４】
【図１】本発明に係るに係る携帯端末装置１００の正面図。
【図２】本発明に係る携帯端末装置のハード構成を示すブロック図。
【図３】実施形態１に係るトップ画面。
【図４】実施形態１に係るメインカレンダー画面。
【図５】実施形態１に係る携帯端末装置の構成を示すブロック図。
【図６】実施形態１に係る音声データの管理ファイル。
【図７】実施形態１の変形例に係る携帯端末装置の構成を示すブロック図。
【図８】実施形態１に係る録音画面。
【図９】トップ画面表示処理の流れを示すフローチャート図。
【図１０】音声録音処理の流れを示すフローチャート図。
【図１１】音声再生処理の流れを示すフローチャート図。
【図１２】実施形態２に係るトップ画面。
【図１３】実施形態２に係る携帯端末装置の構成を示すブロック図。
【図１４】実施形態２に係る文章日記入力画面。
【図１５】トップ画面に表示されるサブカレンダーの日付変更方法を説明する図。
【図１６】実施形態３に係る携帯端末装置の構成を示すブロック図。
【図１７】実施形態３に係るトップ画面。
【図１８】実施形態４に係る携帯端末装置の構成を示すブロック図。
【図１９】実施形態４に係る設定画面。
【図２０】音声再生処理の流れを示すフローチャート図。
【図２１】実施形態５に係る携帯端末装置の構成を示すブロック図。
【図２２】実施形態５に係るトップ画面。
【図２３】実施形態５に係るアラーム設定画面。
【図２４】実施形態５に係るアラーム管理ファイル。
【図２５】実施形態５に係るアラーム画面。
【図２６】実施形態５の変形例に係る広告表示システムの構成を示すブロック図。
【図２７】実施形態５の変形例に係る広告表示システムの構成を示すブロック図。
【図２８】アラーム設定処理の流れを示すフローチャート図。
【図２９】アラーム処理の流れを示すフローチャート図。
【図３０】実施形態６に係るデータ管理システムの構成を示すブロック図。
【図３１】実施形態６に係る音声データの管理ファイル。
【図３２】実施形態６に係るカレンダー画面。
【図３３】実施形態６に係るユーザ情報。
【図３４】実施形態６に係るユーザ情報。
【図３５】実施形態６に係るデータ管理システムの変形例の構成を示すブロック図。
【図３６】データベースに作成されるフォルダー構成を示す図。
【図３７】実施形態６に係るカレンダー画面。
【図３８】実施形態６に係るカレンダー画面。
【図３９】実施形態６に係るカレンダー画面。
【図４０】実施形態６に係るカレンダー画面。
【図４１】実施形態６に係るカレンダー画面。
【図４２】実施形態６に係るカレンダー画面表示処理部の具体的構成を示すブロック図。
【図４３】実施形態６に係るデータ管理システムの変形例の構成を示すブロック図。
【図４４】IPアドレスの通知処理の流れを示すフローチャート図。
【図４５】実施形態７に係るデータ管理システムの構成を示すブロック図。
【図４６】実施形態７に係る送信設定画面。
【図４７】実施形態７に係る送信選択画面。
【図４８】音声録音処理の流れを示すフローチャート図。
【図４９】実施形態８に係るデータ管理システムの構成を示すブロック図。
【図５０】実施形態８に係る送信タイミング設定画面。
【図５１】音声録音処理から音声データ送信処理までの流れを示すフローチャート図。
【図５２】実施形態８に係るデータ管理システムの変形例の構成を示すブロック図。
【図５３】実施形態８に係るデータ管理システムの変形例の構成を示すブロック図。
【図５４】実施形態９に係るデータ管理システムの構成を示すブロック図。
【図５５】実施形態１０に係るデータ管理システムの構成を示すブロック図。
【図５６】送信先ユーザ設定処理の流れを示すシーケンス図。
【図５７】再生可能タイミング設定処理の流れを示すシーケンス図。
【図５８】実施形態１０に係る日記データ管理ファイル。
【図５９】実施形態１０に係る再生可能タイミングを示す管理ファイル。
【図６０】実施形態１０に係るカレンダー画面。
【図６１】実施形態１０に係るカレンダー画面。
【図６２】実施形態１０に係るカレンダー画面。
【図６３】実施形態１０に係るデータ管理システムの変形例の構成を示すブロック図。
【図６４】実施形態１１に係るデータ管理システムの構成を示すブロック図。
【図６５】実施形態１１に係るデータ管理システムの処理の流れを示すフローチャート図。
【発明を実施するための形態】
【００１５】
以下、本発明の各実施形態について図面を参照して詳細に説明する。以下の説明において同一の符号が付された部分は実質的に同一の機能を有している。また、発明の明確化のため重複部分は適宜説明が省略されている。
【００１６】
（実施形態１）
図１は本発明の実施形態１に係る携帯端末装置１００の正面図の一例である。携帯端末装置１００は、画面を表示する表示パネル１１と、ユーザからの操作入力を受けるタッチパネル１２と、音声を収音するマイクロフォン１３と、音声を放音するスピーカー１４と、画像を撮影するカメラ１５とを具備する。以下の説明では、表示パネル１１を表示部１１と、タッチパネル１２を操作入力部１２と、マイクロフォン１３を音声入力部１３と、スピーカー１４を音声出力部１４と、カメラ１５を映像撮影部１５と、それぞれ称することがある。
【００１７】
図２は、携帯端末装置１００のハード構成を示すブロック図である。携帯端末装置１００は、情報処理装置１６と、主記憶装置１７と、補助記憶装置１８とを内部に具備する。情報処理装置１６は、CPU(Central Processing Unit)などで構成され、操作入力部１２や音声入力部１３を介してユーザより入力される各種指示に基づいて対応する処理を行う。主記憶装置１７は、RAM(Random Access Memory)などの記憶媒体で構成され、情報処理装置１６で読み込まれるデータやプログラムを一時的に記憶する。補助記憶装置１８は、HDD(Hard Disk Drive)やSSD(Solid State Drive)などの記憶媒体で構成され、本発明に係るプログラムや各種データなどを記憶する。
【００１８】
図３は、実施形態１に係るアプリケーションプログラムを実行する指示が操作入力部１２や音声入力部１３を介してユーザより入力された場合に表示部１１に表示されるトップ画面１０１の一例を示している。本明細書では当該トップ画面を第１画面と称することがある。トップ画面１０１には、音声日記ボタン１０２と、メインカレンダー表示ボタン１０３が所定の位置に配置されている。また、トップ画面１０１には、各種設定を行うための設定ボタン１０４が所定の位置に配置されている。
【００１９】
音声日記ボタン１０２は、音声形式で日記入力を行うためのボタンである。音声日記ボタン１０２が押下された場合に録音処理が開始される。以下の説明では、音声日記ボタン１０２を第１ボタン１０２または録音ボタン１０２と称することがある。
【００２０】
メインカレンダー画面表示ボタン１０３は、図４に例示するメインカレンダー画面１０５を表示部１１に表示させるためのボタンである。メインカレンダー画面１０５には、複数の日付領域を含むメインカレンダー１０６が配置されている。メインカレンダーの各日付領域には、当該日付の音声日記データとリンクされているオブジェクトである音声日記アイコン１０７が配置されている。音声日記アイコン１０７が押下された場合、当該音声日記アイコン１０７とリンクされている音声日記データの再生を制御する再生パネル１０８がメインカレンダー画面１０５内に表示される。再生パネル１０８には、再生を停止する停止ボタン１０８aや一時停止する一時停止ボタン１０８b、再生を開始する再生ボタン１０８c、前後の日付の音声日記データへ移動する移動ボタン１０８d、１０８eなどが配置されている。またトップ画面１０１に戻るためのリターンボタン１０９が合わせて表示されている。なお、以下の説明ではメインカレンダー画面表示ボタン１０３を第２ボタン１０３と、メインカレンダー画面１０５を第２画面１０５とそれぞれ称することがある。また、以下の説明では、音声日記データを単に音声データと称することがある。
【００２１】
図５は、携帯端末装置１００の機能構成を示すブロック図である。携帯端末装置１００は、トップ画面表示処理部１１０と、録音処理部１１１と、音声データ記憶処理部１１２と、メインカレンダー画面表示処理部１１３と、音声データ再生処理部１１４と、を具備する。
【００２２】
トップ画面表示処理部１１０は、本発明のアプリケーションプログラムを実行する指示が操作入力部１２又は音声入力部１３を介して入力された場合に、少なくとも音声の録音を開始する録音ボタン１０２を第１領域に配置したトップ画面１０１を表示部１１に表示する処理を行う。上述したように、トップ画面表示処理部１１０は、録音ボタン１０２と合わせてメインカレンダー画面表示ボタンを第２領域に配置したトップ画面１０１を表示部１１に表示する構成とすると更に良好である。
【００２３】
録音処理部１１１は、トップ画面１０１に配置されている録音ボタン１０２に対する指示操作に基づいて録音処理を行う。例えば、録音処理部１１１は、録音ボタン１０２が押下された場合に、音声入力部１２より入力されるアナログ形式の音声信号に対してAD変換処理や音声圧縮処理を行うことによりデジタル形式の音声データを生成することで録音処理を行う。録音処理部１１１が音声データを生成する際に使用する音声コーデックはwavやMP３などを用いることが可能である。
【００２４】
音声データ記憶処理部１１２は、録音処理によって生成された音声データを、録音処理が行われた日時と関連づけた状態で補助記憶装置１８などの記憶媒体に記憶する処理を行う。図６は、当該日時と関連付けられた状態で記憶される音声データの管理ファイルの一例を示している。
【００２５】
メインカレンダー画面表示処理部１１３は、複数の日付領域を含むメインカレンダーを所定の領域に配置したメインカレンダー画面１０５を表示部１１に表示する処理を行う。例えばメインカレンダーには１ヶ月分の日付が含まれ、メインカレンダー画面表示処理部１１３は、前後の月のカレンダーへ移動する移動ボタンを配置したメインカレンダー画面１０５を表示部１１に表示する構成とすると更に良好である。
【００２６】
音声データ再生処理部１１４は、複数の日付領域を含むカレンダーの日付領域に配置されたオブジェクトに対する指示操作に基づいて、当該オブジェクトにリンク付けされている音声データを再生する処理を行う。例えば、メインカレンダー画面表示処理部１１３は、対応する日付領域に日記データとリンクされたオブジェクトを配置したメインカレンダーを所定の領域に配置してメインカレンダー画面１０５を表示部１１に表示し、当該メインカレンダーの日付領域に配置されたオブジェクトに対する指示操作が操作入力部１２を介して行われた場合に、音声データ再生処理部１１４は、当該オブジェクトにリンク付けされている音声データを記憶媒体から読み出して再生する処理を行う。なお、音声データにリンク付けされているオブジェクトとしては図４に示した音声日記アイコン１０７のような所定のアイコンであっても良いし、文字列であっても良い。また、カレンダーに含まれる日付欄そのものが音声データにリンク付けされているオブジェクトとして構成されていても良い。
【００２７】
以上のように本実施形態１によれば携帯端末装置を用いて音声形式で日記を付けて管理することを可能とする。日常生活の中で日記帳を取り出してきて書き留める作業は煩雑であり持続困難であるが、本実施形態１にかかる発明によれば、筆記では無く音声によって日々の出来事を記録していくことが可能であるため、日記を付けることの煩雑さを大幅に軽減できる。これは、文字で文章を書く場合には一定の体裁レベルを超えた文章を書かなければ、後で読み返した時に何を書いてあったのかがわからなくなってしまうため、文章構成に時間をかける必要がでてくるためである。
【００２８】
これに対し、音声で記録していく場合には、文章構成を気にせず、今日一日の出来事を思い出して適当に呟いておくだけで、後から聞きなおしても十分思い出すことが可能でとなる。これは、音声にはイントネーションや間合い、ピッチ、喋り方など単なる文章のコンテキスト情報を超えた様々な付加情報が含まれているのに対し、文字で文章化することでこれらの付加情報がすべて切り落とされるためである。このように情報が圧縮されるため、出来事を文章で表すためには、理路整然とした表記がなければ後から読み直してもその意味を適切に理解することができない。
【００２９】
一方音声日記と言う形態をとる事により、頭の中で文章構成と言う作業を行わなくても良いため、短い時間で日記を付けることができる。更に、机の前に座り、ペンと日記帳を取り出して手を動かして書き留めると言った面倒臭い作業も省かれ、身近に存在する携帯端末装置を用いて日記を付けることができるため、持続性を向上させることが可能となる。
【００３０】
ここで、ユーザが音声日記を付けようとしてから録音を開始するまでの操作が煩わしいと、それだけで持続する気力が損なわれる。一方、本発明の携帯端末装置では、アプリケーションを起動するためにボタンを押す一動作と、その動作によって表示される録音ボタン１０２を押す一動作の２つの簡易な動作だけで録音に辿り着くことができる構成を取るため日記を付けることの煩わしさを取り除くことが可能となる。
【００３１】
なお、日記を付ける時間を限定する構成とすると継続性の向上や後からの見直しが容易になるため更に良好である。図７は当該機能を組み込んだ携帯端末装置１００bの構成を示すブロック図であり、録音時間設定処理部１１５と、録音画面表示処理部１１６と、時間計測処理部１１７と、延長時間設定処理部１１８と、録音時間延長処理部１１９と、連続再生設定処理部１２０とを更に具備する。
【００３２】
録音時間設定処理部１１５は、一回の音声日記を録音する標準時間を設定する処理を行う。例えば、トップ画面１０１に配置されている設定ボタンに対する指示操作が操作入力部１２を介して入力された場合に録音時間設定用画面を表示部１１に表示し、ユーザから指示された時間を録音時間として記憶媒体に記憶することで当該録音時間の設定処理を行う。日記であるため、当該録音時間は３０秒以上５分以下であることが好ましく、１分以上３分以下であることが更に好ましい。録音時間が短過ぎる場合は日記として十分な事項を記録することができず、長過ぎる場合には音声日記を付けることへの煩雑さが増大するためである。
【００３３】
録音画面表示処理部１１６は、録音ボタン１０２に対する指示操作に対する指示操作が操作入力部１２を介して入力された場合に図８に例示する録音画面１２１を表示部１１に表示する処理を行う。録音画面表示処理部１１６は、録音ボタン１０２に対する指示操作に対する指示操作に基づいて、音声再生を制御する再生パネル１２２と、録音時間を延長するための録音時間延長ボタン１２３と、残りの録音時間を示す残り録音時間表示欄１２４がそれぞれ所定の領域に配置された録音画面１２１を表示部１１に表示する処理を行う。再生パネル１２２には、録音を停止する録音停止ボタン１２２a、録音を一時停止する録音一時停止ボタン１２２b、録音を再開する録音再開ボタン１２２cなどの各種ボタンが配置されている。なお、これまでの録音済み時間を表す録音済み時間表示欄や、残り録音時間を示すインジケーターなどが合わせて録音画面１２１に配置される構成としても良い。また、以下の説明では、録音画面を第３画面と称することがある。
【００３４】
時間計測処理部１１７は、トップ画面１０１に配置されている録音ボタン１０２に対する選択操作に基づいて録音処理部１１１が録音処理を開始するのに合わせて、所定の時間計測を開始する処理を行う。例えば、時間計測処理部１１７は、録音時間設定処理部１１５が設定した録音時間のタイマーをセットすることで時間計測処理を行う。
【００３５】
延長時間設定処理部１１８は、操作入力部１２を介してユーザより入力される指示操作に基づいて、録音時間延長ボタン１２３が押下された場合に時間計測処理部１１７における時間計測を延長する時間を設定する処理を行う。なお、当該延長する時間は、予めデフォルトで所定の時間が設定されていても良い。延長時間としては、１０秒以上３分以下であることが好ましく、３０秒以上１分以下であることが好ましい。長過ぎる時間の延長は、音声日記を付ける時間を制限することによる持続性向上の効果を低減させてしまうためである。
【００３６】
録音時間延長処理部１１９は、録音画面１２１に配置されている録音時間延長ボタン１２３に対する指示操作に基づいて、延長時間設定処理部１１８が設定している延長時間に渡って、時間計測処理部１１７が計測する残り時間を延長する処理を行う。例えば、延長時間が３０秒に設定されており、時間計測処理部１１７が計測する残り時間が２３秒であった場合、録音時間延長処理部１１９は、時間計測処理部１１７が計測する残り時間を５３秒に延長する処理を行う。時間計測処理部１１７は、当該延長された５３秒を残り時間として計測する処理を行う。
【００３７】
連続再生設定処理部１２０は、操作入力部１２を介してユーザより入力される指示操作に基づいて、音声データ再生処理部１１４が音声データを連続して再生するかどうかの設定を行う。
【００３８】
図９&#12316;図１１は、携帯端末装置１００bにおける一部の処理の流れを示すフローチャート図である。本実施形態１に係るアプリケーションプログラムを起動する指示操作が操作入力部１２又は音声入力部１３を介して入力された場合(S１０１)、トップ画面表示処理部１０１は、録音処理を開始する録音ボタン１０２とメインカレンダー画面１０５を表示するメインカレンダー画面表示ボタン１０３とをそれぞれ所定の領域に配置したトップ画面１０１を表示部１１に表示する処理を行う(S１０２)。トップ画面１０１とは、アプリケーションプログラムが起動された場合に、第１に表示される操作可能な画面である。本明細書では、アプリケーションプログラム起動後の待機時間に表示される画面を起動画面と称し、トップ画面１０１とは区別する。起動画面表示中は操作入力部１２は指示操作を受け付けることはできず、起動画面表示後にトップ画面１０１が表示される。
【００３９】
次に図１０を参照して録音処理の流れの一例を説明する。録音開始指示としてトップ画面１０１に配置されている録音ボタン１０２に対する指示操作が操作入力部１２を介して入力された場合（S１０３）、時間計測処理部１１７は、録音時間設定処理部１１５が設定した所定時間を計測する処理を開始する（S１０４）。また、録音処理部１１１は音声入力部１３で入力される音声を録音する処理を開始する（S１０５）。また、録音画面表示処理部１１６は、録音時間を延長するための録音時間延長ボタン１２３と、残りの録音時間を示す残り録音時間表示欄１２４をそれぞれ所定の領域に配置した録音画面１２１を表示部１１に表示する処理を行う（S１０６）。
【００４０】
録音時間を延長する指示操作が操作入力部１２を介して入力された場合(S１０７)、録音時間延長処理部１１９は時間計測処理部１１７が計測する時間を所定の時間延長する処理を行う(S１０８)。
【００４１】
時間計測部１１７が行う時間計測処理が完了した場合(S１０９)、録音処理部１１１は録音処理を終了し（S１１０）、音声データ記憶処理部１１２は、録音処理部１１１における録音処理によって生成された音声データを、録音処理が行われた日時と関連づけた状態で記憶媒体に記憶する処理を行う(S１１１)。なお、音声データ記憶処理部１１２は、録音処理部１１１で録音処理が開始された日時を録音処理が行われた日時として音声データと関連づけても良いし、録音処理が終了した後の現在の日時を録音処理が行われた日時として音声データと関連づけても良い。その他、音声データ記憶処理部１１２は、録音処理に関わる日時を当該録音処理が行われた日時として関連づけて音声データを記憶媒体に記憶する構成とすることが可能である。
【００４２】
トップ画面表示処理部１１０は、トップ画面１０１を表示部１１に表示する（S１１２）。なお
、S１０４&#12316;S１０６は順不同であっても良い。また、S１１０&#12316;S１１２も順不同であっても良い。
【００４３】
次に図１１を参照して音声再生処理の流れの一例を説明する。トップ画面１０１に配置されているメインカレンダー画面表示ボタン１０３に対する指示操作がメインカレンダー画面表示指示として操作入力部１２を介して入力された場合（S１１３）、メインカレンダー画面表示処理部１１３は、日付領域に音声データとリンクされたオブジェクトを配置した複数の日付領域を含むメインカレンダー１０６を所定の領域に配置したメインカレンダー画面１０５を表示部１１に表示する処理を行う（S１１４）。メインカレンダー１０６の日付領域に配置されているオブジェクトである音声日記アイコン１０７に対する指示操作が操作入力部１２を介して入力された場合(S１１５)、音声データ再生処理部１１４は当該音声日記アイコン１０７にリンクされている音声データを記憶媒体から読み出して再生する処理を行う(S１１６)。
【００４４】
当該音声データの再生処理が完了した場合（S１１７）、音声データ再生処理部１１４は連続再生設定が行われているかを判定する（S１１８）。当該連続再生設定が行われていない場合（S１１８でNo）、音声再生処理を終了する。連続再生設定が行われている場合（S１１８でYes）、音声データ再生処理部１１４は後続の日付に録音された音声データを読み出して再生する処理を行う(S１１９)。次に、音声データ再生処理部１１４は最新の音声データを再生したかを判定し(S１２０)、最新の音声データを再生していた場合(S１２０でYes)、処理を終了し、最新の音声データまで到達していない場合(S１２０でNo)、S１１９に戻って音声再生処理を継続する。
【００４５】
携帯端末装置１００bの構成によれば、音声日記を付ける時間を制限することで音声日記を付けることの継続性を向上させることが可能となる。なお、上記説明では音声日記を付ける場合について説明したが、映像と合わせた動画日記とする構成としても良い。
【００４６】
（実施形態２）
日記とは、付けることとその内容を後日確認することの２つの動作によって成り立っている。日記を付けることが基本的に毎日行われる一方で、日記の内容の確認は月末や年末など節目節目に纏めて行われることが通常である。
【００４７】
しかしながら、直近の日記に関してはより高い頻度で確認される傾向にある。実施形態１に記載の携帯端末装置１００では、日記を付けることと確認することの非対称性に基づいて、トップ画面１０１より日記を付けるための操作と日記を確認するまでの操作に異なるステップ数を要する構成としていた。すなわち、日記を付けることに相当する録音処理についてはトップ画面より録音ボタン１０２を押下するという一つの動作で開始出来る構成であったのに対し、日記の確認に相当する音声再生処理は、トップ画面１０１よりメインカレンダー画面表示ボタン１０３を押下することでメインカレンダー画面１０５を表示した後、メインカレンダー１０６の日付欄に配置されているオブジェクトを更に押下するという二つの動作を経た後に開始される構成をとっていた。
【００４８】
このことは、直近の日記を確認したい場合でもいちいち２回の動作を行わなければならないことから煩雑さを増大させていた。本実施形態２にかかる携帯端末装置は、直近の日記についてはより少ない動作で確認出来る構成とすることを特徴とする。
【００４９】
図１２は、本実施形態２に係る携帯端末装置２００のトップ画面２０１の一例を示している。トップ画面２０１には、トップ画面１０１と比較して、更に文章日記ボタン２０２とサブカレンダー２０３と、サブカレンダー引き出しボタン２０４がそれぞれ所定の領域に配置されている。
【００５０】
図１３は、本実施形態２に係る携帯端末装置２００の構成を示すブロック図である。携帯端末装置２００は、携帯端末装置１００と比較して文章日記入力画面表示処理部２２１と、文章データ生成処理部２２２と、文章データ記憶処理部２２３と、カレンダー日付変更処理部２２４と、サブカレンダー表示変更処理部２２５と、を具備する。
【００５１】
トップ画面表示処理部１１０は、本発明のアプリケーションプログラムを起動する指示操作が操作入力部１２又は音声入力部１３を介して入力された場合に、録音ボタン１０２と、文章日記入力画面表示ボタン２０２と、メインカレンダー画面表示ボタン１０３と、サブカレンダー２０３をそれぞれ所定の領域に配置したトップ画面２０１に表示部１１に表示する処理を行う。
【００５２】
メインカレンダー１０６が複数の日付が二次元方向に並べて配置されているカレンダーであるのに対し、サブカレンダー２０３は一次元方向に複数の日付が並べて配置されているカレンダーである。トップ画面２０１に配置されるサブカレンダー２０３には、メインカレンダー１０６に含まれる日付よりも少ない数の日付が含まれている。トップ画面表示処理部１１０は、複数の日付を一次元方向に並べて配置したサブカレンダー２０３を所定の領域に配置したトップ画面２０１を表示部１１に表示する処理を行う。ここで、トップ画面表示処理部１１０は、プログラムの起動を開始する指示操作が操作入力部１２又は音声入力部１３を介してユーザより入力された場合に、現在の日付を含む複数の日付を一次元方向に並べて配置したサブカレンダー２０３を右端、左端、上端、下端のいずれかの表示領域に配置したトップ画面２０１を表示部１１に表示する構成とすると更に良好である。
【００５３】
なお、当該サブカレンダー２０３に含まれる日付領域には、当該日付に記憶された日記データとリンクされているオブジェクトである日記アイコンが配置される。すなわち、トップ画面表示処理部１１０は、対応する日付領域に日記データとリンクされたオブジェクトを配置したサブカレンダー２０３を所定の領域に配置してトップ画面２０１を表示部１１に表示する処理を行う。なお、日記データには音声データ又は文章データが含まれる。対応するオブジェクトも音声日記アイコン２０５と文章日記アイコン２０６の２種類が存在する。
【００５４】
文章日記入力画面表示ボタン２０２は文章形式で日記を入力するための文章日記入力画面２０７を表示部１１に表示させるためのボタンである。文章日記入力画面表示処理部２２１は、当該トップ場面２０１に配置されている文章日記入力画面表示ボタン２０２に対する指示操作が操作入力部１２を介して入力された場合に、図１４に例示する文章日記入力画面２０７を表示部１１に表示する処理を行う。
【００５５】
文章日記入力画面２０７には、文字を入力するソフトキーボード２０８と、入力される文字を表示する文章日記表示領域２０９が所定の領域に配置される。また、日記を書き込む書き込みボタン２１０と日記の書き込みをキャンセルするキャンセルボタン２１１、その他トップ画面２０１に戻るトップボタン２１２も合わせて配置されている。以下の説明では、当該文章日記入力画面２０７を第４画面２０７と称することがある。
【００５６】
文章データ生成処理部２２２は、ソフトキーボード２０８を介して入力される文字に基づいて文章データを生成する処理を行う。文章データ記憶処理部２２３は、当該書き込みボタン２１０に対する指示操作が入力された場合に、文章データ生成処理部２２２が生成する文章データを、文章データが生成された日時又は記憶される日時と関連づけた状態で記憶媒体に記憶する処理を行う。
【００５７】
カレンダー日付変更処理部２２４は、トップ画面２０１に表示されているサブカレンダー２０３の日付配列方向へ指をスライドさせる操作がカレンダー日付変更指示操作として操作入力部１２を介して入力された場合に、当該サブカレンダー２０３に含まれる日付を変更する処理を行う。すなわち、カレンダー日付変更処理部２２４は、カレンダー日付変更指示操作に基づいて、トップ画面２０１内に表示しているサブカレンダー２０３に含まれる日付を変更する処理を行う。
【００５８】
図１５は、表示されているサブカレンダー２０３の日付を変更する操作の一例を示している。サブカレンダー２０３が表示されている領域上でタッチパネル１２に接触した状態でサブカレンダー２０３の日付配列方向である縦方向に指をスライドさせることで、サブカレンダー２０３に含まれる日付が連続的に変更される。図１５のサブカレンダー２０３には８月１４日と８月１５日の日付が含まれているが、指をスライドさせることにより、８月１６日の日付がサブカレンダー２０３の上方から連続的に表示される一方で８月１４日の日付は連続的に下がっていき、やがて表示されなくなる。
【００５９】
なお、カレンダー日付変更処理部２２４は、メインカレンダー１０６においても同様の操作で表示される日付を変更する処理を行う構成であっても良い。
【００６０】
サブカレンダー表示変更処理部２２５は、サブカレンダー引き出しボタン２０４に対する指示操作に基づいて、トップ画面２０１へのサブカレンダー２０３の表示を変更する処理を行う。
【００６１】
録音処理部１１１は、トップ画面２０１に配置されている録音ボタン１０２に対する指示操作に基づいて録音処理を行う。例えば、録音処理部１１１は、録音ボタン１０２が押下された場合に、音声入力部１３より入力される音声信号に対して所定の音声圧縮処理を行うことによりデジタル形式の音声データを生成することで録音処理を行う。
【００６２】
音声データ再生処理部１１４は、複数の日付領域を含むカレンダーの日付領域に配置されたオブジェクトに対する指示操作に基づいて、当該オブジェクトにリンク付けされている日記データを再生する処理を行う。音声データ再生処理部１１４は、サブカレンダー２０３の日付領域に配置されているオブジェクトである音声日記アイコン２０５が押下された場合に、当該音声日記アイコン２０５にリンク付けされている音声データを記憶媒体から読み出して再生する処理を行う。
【００６３】
サブカレンダー２０３の日付領域に配置されているオブジェクトである文章日記アイコン２０６が押下された場合は、トップ画面表示処理部１１０は、当該文章日記アイコン２０６にリンク付けされている文章データを記憶媒体から読み出して所定の表示領域に表示する処理を行う。
【００６４】
以上のように、本実施形態２に係る携帯端末装置２００によれば、日記を付ける活動に相当する録音処理と日記を確認する活動に相当する音声再生処理とをそれぞれトップ画面２０１より同一のステップ回数の動作で開始出来るため、利便性を向上させることが可能となる。
【００６５】
（実施形態３）
カレンダーを表示した際に日記を付けていない日が含まれていると日記をつける意欲が減退してしまうという問題が存在する。これは複数の日付を一度に表示するカレンダーの性質上、日記をつけていない部分が完全性の欠損として浮かび上がってしまうためである。したがって、このような日記を付けていない日が増えるにつれて欠損部分だけが目立ってしまい、ますます日記を付けなくなってしまうと言う問題が存在していた。本実施形態３に係る発明は、日記を付けない日ができてしまっても継続して日記を付けるモチベーションを維持することを目的としている。
【００６６】
図１６は、本実施形態３に係る携帯端末装置３００の構成を示すブロック図である。携帯端末装置３００は、日付総数データ更新処理部３２６と、日付総数データ記憶処理部３２７と、更新ポイント数算出処理部３２８と、ポイント総数データ更新処理部３２９と、ポイント総数データ記憶処理部３３０と、を更に具備する。
【００６７】
日付総数データ更新処理部３２６は、音声データ記憶処理部１１２によって新たな音声データが記憶される場合に、音声データ記憶処理部１１２によってこれまでに記憶されている音声データと関連づけされている日付の総数を示す日付総数データを更新する処理を行う。すなわち、日付総数データ更新処理部３２６は、これまで日記を付けた日数に相当する日付総数データを更新する処理を行う。例えば、音声データ記憶処理部１１２によって新たな音声データが記憶された場合に、日付総数データ更新処理部３２６は記憶媒体より日付総数データを読み出し、インクリメントすることで日付総数データを更新する。
【００６８】
日付総数データ記憶処理部３２７は、音声データ記憶処理部１１２によってこれまでに記憶されている音声データと関連づけされている日付の総数を示す日付総数データを記憶媒体に記憶する処理を行う。日付総数データ記憶処理部３２７は、日付総数データ更新処理部３２６によって日付総数データが更新された場合に、更新後の日付総数データを記憶媒体に記憶する処理を行う。
【００６９】
更新ポイント数算出処理部３２８は、音声データ記憶処理部１１２によって新たな音声データが記憶される場合に、音声データ記憶処理部１１２によってこれまでに記憶されているポイント総数を更新するポイント数を所定のアルゴリズムに基づいて算出する処理を行う。例えば、更新ポイント数算出処理部３２８は、所定の日数以上連続して音声データが記憶されている場合に、所定のポイントを更新ポイント数として算出しても良い。また、音声データが記憶される現在の日付が、予めユーザが登録しているユーザの誕生日と同一である場合に、所定の追加ポイントを加算した上で更新ポイントを算出しても良い。
【００７０】
ポイント総数データ更新処理部３２９は、更新ポイント数算出処理部３２８によって算出された更新ポイント数に基づいてポイント総数データを更新する処理を行う。例えば、音声データ記憶処理部１１２によって新たな音声データが記憶された場合に、ポイント総数データ更新処理部３２９は記憶媒体よりポイント総数データを読み出し、更新ポイント数算出処理部３２８で算出された更新ポイント数を加算することでポイント総数データを更新する。
【００７１】
ポイント総数データ記憶処理部３３０は、日付総数データ更新処理部３２６によってポイント総数データが更新された場合に、更新後のポイント総数データを記憶媒体に記憶する処理を行う。
【００７２】
トップ画面表示処理部１１０は、日付総数データ記憶処理部２７０が記憶する日付総数データが示す日付総数と、ポイント総数データ記憶処理部３３０が記憶するポイント総数データが示すポイント総数を所定の表示領域に配置したトップ画面３０１を表示部１１に表示する処理を行う。図１７は、当該トップ画面３０１の一例を示している。トップ画面表示処理部１１０は、トップ画面３０１の所定の領域にこれまで日記を付けた日数に相当する日付数と、これまで獲得したポイント総数を示す獲得ポイント数を表示領域３０２に配置して表示部１１に表示する処理を行っている。ユーザが最も頻繁に目にするトップ画面３０１に日付総数とポイント総数を配置する構成とすることで、ユーザは着実に日記を付けてきたことの成果を体感することができる。
【００７３】
以上のように、本実施形態３に係る携帯端末装置３００によれば、これまでの日記を付けてきたことの成果を集約した数値でユーザに提示する構成とすることで、例え日記を付けなかった日があったとしてもその情報が希釈化されるため、日記を付け続けるモチベーションを高めることが可能となる。
【００７４】
なお、上記説明ではトップ画面３０１に日付総数とポイント総数を配置して表示部１１にトップ画面３０１を表示する構成について説明したがこれに限定するものではない。他の画面にこれらの数値を配置して表示部１１に表示する構成としても良い。
【００７５】
また、上記説明では日付総数とポイント総数の両方の値を更新・記憶し、表示する構成に付いて説明したがこれに限定されるものではない。片方の数値を更新・記憶し、トップ画面に配置して表示部１１に表示する構成としても良い。
【００７６】
（実施形態４）
日記にはその性質上、プライバシー情報が非常に多く含まれている。したがって、携帯端末装置を紛失した場合などに、この日記が他人によって聞かれたり見られたりすることを防ぎたいという欲求が存在する。本実施形態４に関する携帯端末装置は、当該プライバシー情報の流出を防止することを目的としている。
【００７７】
図１８は本実施形態４にかかる携帯端末装置４００の構成を示すブロック図である。携帯端末装置４００は、ユーザ情報設定画面表示処理部４３１と、ユーザ情報設定処理部４３２と、ユーザ認証要否判定処理部４３３と、ユーザ認証処理部４３４と、ユーザ認証条件設定処理部４３５を更に具備する。
【００７８】
ユーザ情報設定画面表示処理部４３１は、ユーザ情報の設定指示操作に基づいてユーザ情報設定画面４０１を表示部１１に表示する処理を行う。例えば、トップ画面表示処理部１１０が表示するトップ画面１０１に配置された設定ボタン１０４を押下する操作を設定指示操作として操作入力部１２を介して入力された場合に、ユーザ情報設定画面表示処理部４３１は、ユーザ情報設定画面４０１を表示部１１に表示する処理を行う。
【００７９】
図１９は、当該ユーザ情報設定画面４０１の一例を示している。ユーザ情報設定画面表示処理部４３１は、少なくともパスワードを登録するスペースを含むユーザ情報設定画面４０１を表示部１１に表示する処理を行う。
【００８０】
ユーザ情報設定処理部４３２は、ユーザ情報設定画面４０１を介して入力されたユーザ情報を記憶媒体に記憶することでユーザ情報の設定を行う。ユーザ情報設定処理部４３２は、ユーザ情報の一部として少なくともパスワードを設定する処理を行う。
【００８１】
ユーザ認証要否判定処理部４３３は、カレンダーの日付領域に配置されたオブジェクトである音声日記アイコンに対する指示操作が行われた場合に、ユーザ認証条件設定処理部４３５が設定するユーザ認証条件に基づいて、当該音声日記アイコンにリンクされた音声データの再生処理を許可するかどうかのユーザ認証処理を行うかどうかを判定する。
【００８２】
ユーザ認証要否判定処理部４３３においてユーザ認証処理を行うと判定された場合に、ユーザ認証処理部４３４は、ユーザ情報設定処理部４３２が設定したパスワードと、ユーザが新たに入力するパスワードとが一致するかどうかの認証処理を行う。例えば、ユーザ認証処理部４３４は、表示部１１にパスワード入力欄とソフトキーボード欄を配置したパスワード入力画面を表示し、当該パスワード入力画面を介してユーザより入力されるパスワードとユーザ情報設定処理部４３２が設定して記憶媒体に記憶されているパスワードとを比較する処理を行う。当該ユーザ認証処理部４３４における認証処理が成功した場合に、音声データ再生処理部１１４は指示操作に係る音声データを記憶媒体から読み出して再生する処理を行う。
【００８３】
当該ユーザ認証処理部４３４における認証処理が成功した場合に、ユーザ認証条件設定処理部４３５は、ユーザ認証条件を設定する処理を行う。ユーザ認証条件とは、例えば３０分間の間認証処理をフリーとする設定などがある。再生したい音声日記データをユーザが指定する毎に認証処理が発生しては煩雑に耐えないため、一旦認証処理をクリアした場合は、ユーザ認証条件を満たしている限り再度の認証処理を不要としている。ユーザ認証条件設定処理部４３５は、設定したユーザ認証条件を解除する処理を合わせて行う。
【００８４】
図２０は、本実施形態４にかかる音声再生処理の流れの一例を示すフローチャート図である。トップ画面表示処理部１１０は、日付領域に音声データとリンクされた音声日記アイコンを配置したサブカレンダーを所定の表示領域に表示したトップ画面を表示部１１に表示する処理を行う（S４０１）。この状態で音声日記アイコンに対する指示操作が操作受付部１２より入力された場合(S４０２)、ユーザ認証要否判定処理部４３３は、ユーザ認証条件設定処理部４３５が設定するユーザ認証条件に基づいて、ユーザ認証処理を行うかどうかの判定処理を行う（S４０３）。
【００８５】
当該判定処理の結果、ユーザ認証処理を行うと判定された場合(S４０３でYes)、ユーザ認証処理部４３４はユーザ認証処理を行う（S４０４）。ユーザ認証処理部４３４は、予めユーザ情報設定処理部４３２で設定されて記憶媒体に記憶されているパスワードと、ユーザより操作入力部１２又は音声入力部１３を介して入力されるパスワードとが一致するかどうかを判定することで当該ユーザ認証処理を行う。
【００８６】
ユーザ認証処理の結果、認証に成功した場合は（S４０５でYes）、ユーザ認証条件設定処理部４３５は、ユーザ認証条件を設定する処理を行う（S４０６）。例えば、ユーザ認証条件設定処理部４３５はユーザ認証処理無しに音声データの再生処理を行える期限をユーザ認証条件として設定する。続いて、音声データ再生処理部１１４は、S４０２における指示操作に係る音声データを記憶媒体より読み出して再生する処理を行う（S４０７）。
【００８７】
次に、ユーザ認証条件設定処理部４３５は、ユーザ認証条件を解除するかどうかの判定処理を行う（S４０８）。当該判定の結果、ユーザ認証条件を解除する場合（S４０８でYes）、ユーザ認証条件設定処理部４３５は、S４０６で設定したユーザ認証条件を解除する（S４０９）。例えば、ユーザ認証条件設定処理部４３５は、S４０６で設定した音声再生処理の期限を現在の時刻が過ぎている場合に、当該ユーザ認証条件を解除する。
【００８８】
以上説明したように、本実施形態４に係る携帯端末装置４００によれば、万が一携帯端末装置を紛失した場合などでも、日記データを他人に再生されることを防ぐことができるため、高いプライバシーを維持することが可能となる。
【００８９】
なお、上記説明ではユーザ情報としてパスワード以外の情報を設定する場合について説明したがこれに限定されるものではない。例えば、ユーザ情報設定処理部４３２はパスワードを設定する処理を行い、ユーザ認証処理部４３４は、メインカレンダー１０６又はサブカレンダー２０３の日付領域に配置されたオブジェクトに対する指示操作に基づいて、パスワードの認証処理を行う構成としても良い。音声データ再生処理部１１４は、当該パスワードの認証に成功した場合に、オブジェクトにリンク付けされている音声データを再生する処理を行う。
【００９０】
この場合、ユーザ認証要否判定処理部４３３は、メインカレンダー１０６又はサブカレンダー２０３の日付領域に配置されたオブジェクトに対する指示操作に基づいて、認証処理の要否を判定する処理を行う。すなわち、ユーザ認証要否判定処理部４３３は、ユーザに対してパスワードの入力を要求するかどうかを判定する処理を行う。このように構成されていても良い。
【００９１】
（実施形態５）
日記は一日の終わりである就寝前に付けることが一般的である。上述した各実施形態に係る携帯端末装置によれば、就寝時に布団の中に入った後でも付けることが出来るため、ユーザに負荷をかけること無く日記を付けさせることが可能である。
【００９２】
実施形態１&#12316;４は一日の最後のアクションに対するサービスを提供していると見ることが出来る一方で、一日の開始のアクションに対しては何らサービスを行っていない。一日の始まりと終わりをトータルでサポートする構成とすることでライフクオリティーを改善出来る可能性が発生するが、これまでの実施形態１&#12316;４ではこの点を見落としていた。本実施形態５に係る携帯端末装置は、一日の最初と最後の両方に対するソリューションを提供することを目的としている。
【００９３】
図２１は、本実施形態５に係る携帯端末装置５００の構成を示すブロック図である。携帯端末装置５００は、アラーム設定画面表示処理部５３６と、アラーム設定処理部５３７と、アラーム制御部５３８と、アラーム音声データ再生処理部５３９と、アラーム画面表示処理部５４０を更に具備する。
【００９４】
図２２は、トップ画面表示処理部１１０が表示部１１に表示するトップ画面５０１の一例を示している。トップ画面表示処理部１１０は、アラーム設定画面表示ボタン５０２を所定の領域に配置したトップ画面５０１を表示部１１に表示する処理を行う。アラーム設定画面表示ボタン５０２は、図２３に例示するアラーム設定画面５０３を表示部１１に表示させるためのボタンである。
【００９５】
アラーム設定画面表示処理部５３６は、トップ画面表示処理部１１０が表示するトップ画面５０１に配置されているアラーム設定画面表示ボタン５０２に対する指示操作が操作入力部１３を介して入力された場合に、アラーム設定画面５０３を表示部１１に表示する処理を行う。すなわち、アラーム設定画面表示処理部５３６は、ユーザからのアラーム設定指示が操作入力部１２を介して入力された場合に、表示部１１にアラーム設定画面５０３を表示する処理を行う。
【００９６】
図２３に例示するアラーム設定画面５０３では、アラーム時刻を直接入力するアラーム時刻入力欄５０４a&#12316;５０４cと、アラーム時刻までの時間間隔を入力するアラーム時間間隔入力欄５０５a&#12316;５０５cが配置されている。例えば、アラーム時刻入力欄５０４aでは、８:００の時刻にマリンバの音色の音声データを読み出して再生する設定が入力されている。一方、アラーム時間間隔入力欄５０５aでは今から９時間後に最新日記の音声データを再生する設定がされている。現在の時刻が２３:４４であるため、翌日の８:４４の時刻がアラーム時刻となる。
【００９７】
また、本実施形態５では、アラーム音となる音声データとして最新の音声日記データを読み出して再生する設定を可能としている。また、アラーム時間間隔入力欄５０５bにあるように、昨日の日付と関連付けられた状態で記憶されている音声データをアラーム音として再生する設定も可能としている。
【００９８】
アラーム設定処理部５３７は、表示部１１に表示されるアラーム設定画面５０３に従ってユーザより操作入力部１２を介して入力されるアラーム情報を記憶媒体に記憶することでアラーム設定を行う。図２４は、図２３に示すアラーム設定画面５０３に基づいてアラーム設定処理部５３７によるアラーム設定処理によって記憶媒体に記憶されているアラーム情報の一例を示している。
【００９９】
アラーム制御部５３８は、アラーム処理に関する各種制御を行う。例えば、アラーム制御部５３８は、所定のタイミング毎に現在の時刻と設定されているアラーム時刻とを比較する処理を行い、現在の時刻がアラーム時刻と一致しているかを判定する。または、アラーム制御部５３８は、アラーム設定処理部５３７によって設定されるアラーム情報に基づいて、アラーム時刻にタイマーが切れるようにタイマーをセットし、現在の時刻がアラーム時刻と一致しているかを判断する。
【０１００】
アラーム音声再生処理部５３９は、現在の時刻がアラーム時刻と一致した場合に、アラーム設定処理部５３７によってアラーム音声データとして設定されている音声データを記憶媒体より読み出して再生する処理を行う。
【０１０１】
アラーム画面表示処理部５４０は、図２５に例示するように、少なくともアラーム音声データの再生を停止するアラーム停止ボタン５０７を配置したアラーム画面５０６を表示部１１に表示する処理を行う。アラーム画面には、メッセージ欄５０８も合わせて表示されている。アラーム画面表示処理部５４０は、記憶媒体に記憶されている複数の文章データや画像データの中から、所定のアルゴリズムに基づいて表示するデータを選択し、メッセージ欄５０８に配置してアラーム画面５０６を表示する処理を行う。
【０１０２】
アラーム音声再生処理部５３９は、アラーム画面表示処理部５４０が表示するアラーム画面５０６に配置されているアラーム停止ボタン５０７に対する指示操作が入力された場合に、現在再生しているアラーム音声データの再生処理を停止する。
【０１０３】
以上のように本実施形態５に係る携帯端末装置５によれば、一日の終わりだけではなく一日の始まりに対してサービスを提供出来るため、より付加価値が高いサービスを提供することができる。
【０１０４】
例えば、ユーザが日記として付けた最新の音声データを目覚まし用のアラーム音声として再生されることで、ユーザは睡眠で昨日からの繋がりをもって本日に向かうことができる。睡眠によって断片化されてしまう人生に繋がりを持たせることでより良い人生を送ることが可能となる。例えば、昨日良いことがあって、そのことが記録された音声日記データで目が覚めることにより一日をより良い気分で迎えることができ、ポジティブな心構えでその一日を過ごすことに鳴るため自然と良い一日を送れるようになる。そのような好循環を起こすことにより、より良い人生を送ることが可能となる。例え良くない一日を過ごしても、その音声日記データで目が覚めたならば、今日こそは昨日と違って良い一日を送ろうと言う気になるため、どちらにしても一日の開始地点から高いモチベーションを発揮することが可能となる。
【０１０５】
なお、最新日記データは、音声データ記憶部１１２によって記憶される最新の音声データであるのに対し、昨日日記データは、アラーム音を鳴らす前日の日付と関連付けられた状態で記憶される音声データである。したがって、寝る前などに音声日記を付けなかった場合は、予めデフォルトで用意した音声データを再生する構成としてもよい。このようにすることで、昨日日記を付け忘れたことを目覚ましによって知ることが出来るため、後から補完等の行動に移ることが可能となる。
【０１０６】
また、アラーム画面表示処理部５４１は、記憶媒体に記憶されているhtmlリンク付きの文字データ又は画像データを読み出し、アラーム画面の所定の領域に配置してアラーム画面を表示部１１に表示する処理を行う構成としても良い。この場合、アラーム画面表示処理部５４１は、表示されている文字又は画像に対する指示操作に基づいて、外部に配置しているWebサーバにgetコマンドを送信し、当該webサーバより所定のhtmlコンテンツをダウンロードしてコンテンツ画面を表示部１１に表示する。当該構成とすることでその日のニュースなど、最新のコンテンツを画面に表示することが出来る。
【０１０７】
なお、上記説明では、アラーム画面５０６にメッセージを表示する場合について説明したが、これに限定されるものではない。例えば、広告などを配置したアラーム画面５０６を表示する構成としても良い。
【０１０８】
図２６は、アラームと広告を連動させる広告表示システムの構成を示すブロック図である。広告表示システム１０００は、携帯端末装置５００bと、広告配信サーバ１１００と、広告配信データベース１２００とを含んで構成される。
【０１０９】
携帯端末装置５００bは、通信処理部５４１と、広告画面表示処理部５１５を更に具備する。通信処理部５４１は、アラーム画面表示処理部５４０が表示するアラーム画面５０６に配置されているアラーム停止ボタン５０７に対する指示操作があった場合に、広告配信サーバ１１００宛のデータ要求パケットを送信する処理を行う。ここで、通信処理部５４１は、ユーザの性別、ユーザの年齢（年代）、ユーザの住所、ユーザの職業の少なくともいずれかを含むユーザ情報を含めてデータ要求パケットを送信する処理を行う構成とすると更に良好である。当該ユーザ情報は、ユーザ情報設定処理部４３２がユーザから入力される内容に基づいて設定する。
【０１１０】
通信処理部５４１は、データ要求パケットに基づいて広告配信サーバ１１００より送信される広告データを受信する処理を行う。広告画面表示処理部５４２は、通信処理部５４１で受信された広告データを含む広告画面を表示部１１に表示する。
【０１１１】
広告配信サーバ１１００は、通信処理部１１０１と広告データ選択処理部１１０２を具備する。通信処理部１１０１は、携帯端末装置５００bの通信処理部５４１より送信されたデータ要求パケットを受信する処理を行う。広告データ選択処理部１１０２は、当該データ要求パケットに基づいて広告データベース１２００より所定の広告データを選択して読み出す処理を行う。
【０１１２】
ここで、通信処理部５４１が受信するデータ要求パケットにユーザ情報が含まれる場合、広告データ選択処理部１１０２は、当該ユーザ情報に基づいて広告データベース１２００より広告データを読み出す処理を行う。例えば、２０代の女性という内容のユーザ情報が含まれていた場合、当該２０代の女性向けの所定の広告データを広告データベース１２００より読み出す処理を行う。通信処理部１１０１は、当該読み出された広告データを携帯端末装置５００bに送信する処理を行う。
【０１１３】
なお、図２７に示す携帯端末装置５００cの構成であっても良い。携帯端末装置５００cは、広告データ記憶処理部５４３を備える。アラーム画面表示処理部５４１が表示するアラーム画面５０６に配置されているアラーム停止ボタン５０７に対する指示操作があった場合に、通信処理部５４１はユーザ情報を含むデータ要求パケットを広告配信サーバ１１００に送信する処理を行う。通信処理部５４１は、当該データ要求パケットに基づいて広告配信サーバ１１００より送信されてくる広告データを受信する処理を行う。
【０１１４】
広告データ記憶処理部５４３は、通信処理部５４１で受信された広告データを記憶媒体に記憶する処理を行う。ここで、広告データ記憶処理部５４３は、当該受信された広告データを受信された日時と関連づけて記憶する処理を行う。アラーム画面表示処理部５４０は、音声データの再生を停止するアラーム停止ボタン５０６に加えて広告データ記憶処理部５４３が記憶した広告データを所定の表示領域に配置してアラーム画面５０６を表示する処理を行う。ここで、アラーム画面表示処理部５４０は、前日のアラームを停止する際に広告データ記憶処理部５４３が記憶した広告データを表示部１１に表示する処理を行う。
【０１１５】
図２８はアラーム設定処理の流れの一例を示すフローチャート図である。操作入力部１２又は音声入力部１３などを介してアラーム設定画面を表示部１１に表示させるための指示操作が入力された場合（S５０１）、アラーム設定画面表示処理部５３６は、アラーム設定画面５０３を表示部１１に表示する処理を行う（S５０２）。アラーム設定画面５０３を介してアラーム情報がユーザより入力された場合（S５０３）、アラーム設定処理部５３７は、当該入力されたアラーム情報を記憶媒体に記憶することでアラーム設定処理を行う（S５０４）。アラーム情報には、少なくともアラーム音声データを再生するアラーム時刻やアラーム音声データを指定するアラーム音声データ情報が含まれる。
【０１１６】
図２９はアラーム処理の流れの一例を示すフローチャート図である。アラーム制御部５３８は現在の時刻を示す時刻情報を所定の間隔で読み出し、アラーム情報として記憶されているアラーム時刻と一致しているかを判定する（S５０５）。
【０１１７】
現在の時刻とアラーム時刻が一致している場合、アラーム音声データ再生処理部５３９は、アラーム音声として指定されているアラーム音声データを記憶媒体から読み出して再生する処理を行う（S５０６）。また、アラーム画面表示処理部５４０は、以前のアラーム処理によって携帯端末装置５００c内の記憶媒体に記憶されている広告データを読み出し、アラーム停止ボタン５０７を所定の表示領域に配置したアラーム画面５０６を表示部１１に表示する処理を行う（S５０７）。
【０１１８】
アラーム画面表示処理部５４０が表示部１１に表示しているアラーム画面５０６に配置されているアラーム停止ボタン５０７に対する指示操作が入力された場合（S５０８）、アラーム音声データ再生処理部５３９はアラーム音声データの再生を停止する処理を行う（S５０９）。続いて、通信処理部５４１は、広告データの配信を要求する広告データ要求パケットを生成して広告配信サーバ１１００に送信する処理を行う（S５１０）。通信処理部５４１は、当該広告配信サーバ１１００より広告データを受信し（S５１１）、広告データ記憶処理部５４３は、当該広告データを現在の日時と関連づけた状態で記憶媒体に記憶処理を行う（S５１２）。当該広告データは、後日、アラーム時刻にアラーム画面に表示される。
【０１１９】
（実施形態６）
日記をつける作業は煩雑さを伴うため、日記を継続して付けるにはそのことを後押しする動機付けが必要となる。本来、日記とは自分自身の人生を管理するために付けるためのものであるが、この管理機能だけでは動機付けが弱いという側面がある。
【０１２０】
別の動機付けを行う方法として、日記を他人に公開することが考えられる。当該日記を公開する方法としてはブログがある。ブログは他人に対して情報を発信することがその動機付けであるため、基本的に多くの人に見てもらうことがモチベーションを高めることになる。例えば、２、３人しか見ていないようであればブログを更新するモチベーションは低下してしまう。そのため、ブログの閲覧者を増やすために公開する日記内容を充実させることがブログ作成者には暗黙的に課せられる。やがて、この閲覧者数を維持するための日記公開作業が煩雑さを増大させていき、日記を付けること自体を辞めてしまうという事例は少なくない。
【０１２１】
この大きな原因は、ブログが本質的に情報の発信を目的としている点にある。情報発信では、情報の受信者の数が多ければ多いほどその効果が高まるため、受信者を増やすことが暗黙的に情報発信者に課せられることになる。このことが、情報発信者であるブロク作成者に大きな負担として乗っ掛かってくる原因になっていた。そこで、本実施形態６では本質的な目的を情報発信ではなく、特定の限られた他人とコミュニケーションの一環として日記を共有する点に変更することで、継続して日記を付けるモチベーションを維持出来ることを目的としている。
【０１２２】
図３０は、本実施形態６に係るデータ管理システムの全体構成を示すブロック図である。本実施形態６に係るデータ管理システムは、複数のユーザがそれぞれ所有する複数の端末装置２１００a&#12316;２１００nと、データ管理サーバ２２００と、ユーザ情報データベース２３００を含んで構成される。なお、各端末装置２１００a&#12316;２１００nの構成は略同一であるため、以下の説明では端末装置２１００aで代表して説明を行う。
【０１２３】
端末装置２１００aは、例えば上述の各実施形態で説明した携帯端末装置をそのまま用いることが可能である。端末装置２１００aは、録音処理部１１１aと、音声データ記憶処理部１１２aと、メインカレンダー画面表示処理部１１３aと、音声データ再生処理部１１４aと、送信処理部２１４４aと、受信処理部２１４５aとを具備する。本明細書では、送信処理部２１４４aと受信処理部２１４５aを合わせて通信処理部と称することがある。
【０１２４】
録音処理部１１１aは、操作入力部１２または音声入力部１３を介して入力される指示操作に基づいて録音処理を行う。例えば、録音処理部１１１aは、音声入力部１２より入力されるアナログ形式の音声信号に対してAD変換処理や音声圧縮処理を行うことによりデジタル形式の音声データを生成することで録音処理を行う。
【０１２５】
送信処理部２１４４aは、録音処理によって生成された音声データをデータ管理サーバ２２００に送信する処理を行う。ここで、送信処理部２１４４aは、録音処理によって生成された音声データを録音処理が行われた日時及びユーザを識別する情報であるユーザIDと関連づけた状態でデータ管理サーバ２２００へ送信する処理を行う構成とするとその後の管理が簡潔化できるためより好ましい。
【０１２６】
受信処理部２１４５aは、自ユーザと関連付けられた他のユーザの端末装置２１００bにおける録音処理で生成された音声データをデータ管理サーバ２２００より受信する処理を行う。
【０１２７】
音声データ記憶処理部１１２aは、自端末装置２１００aの録音処理部１１１aにおける録音処理によって生成された音声データを、録音処理が行われた日時と関連づけた状態で補助記憶装置１８などの記憶媒体に記憶する処理を行う。また、音声データ記憶処理部１１２aは、受信処理部２１４５aで受信された他の端末装置２１００nで録音処理が行われた他のユーザの音声データを、当該他の端末装置２１００nで録音処理が行われた日時と関連づけた状態で補助記憶装置１８などの記憶媒体に記憶する処理を行う。
【０１２８】
図３１は、音声データ記憶処理部１１２aが端末装置２１００aの補助記憶装置１８に記憶する音声データの管理ファイルの一例を示している。音声データ記憶処理部１１２aは、各音声データを対応するユーザを識別するユーザIDと関連づけた状態で記憶する処理を行っている。自端末装置２１００aのユーザであってユーザIDがVentuaidである自ユーザの音声データと他端末装置２１００bのユーザであってユーザIDがCOCOである他のユーザの音声データと、他端末装置２１００nのユーザであってユーザIDがMelである他のユーザの音声データが、携帯端末装置２１００aの補助記憶装置１８にそれぞれ録音処理が行われた日時と関連付けられた状態で記憶されている。
【０１２９】
カレンダー画面表示処理部２１４６aは、音声データにリンク付けされたオブジェクトを音声データと関連付けられた日付の日付領域に配置したカレンダーを所定の表示領域に配置したカレンダー画面を表示部１１に表示する処理を行う。当該カレンダーは上述の実施形態で説明したサブカレンダーとしてトップ画面に配置されていても良いし、メインカレンダーとしてメインカレンダー画面に配置されていても良い。すなわち、カレンダー画面としてトップ画面が用いられても良いし、メインカレンダー画面が用いられても良い。
【０１３０】
以下の説明では、上記カレンダーはメインカレンダーとしてメインカレンダー画面に配置される場合について説明する。すなわち、カレンダー画面表示処理部２１４６aと上述したメインカレンダー画面表示処理部１１３は実質的に同一であるとして説明する。
【０１３１】
図３２は、カレンダー画面表示処理部２１４６aが表示部１１に表示するカレンダー画面２１０５の一例を示している。カレンダー画面２１０５には複数の日付領域を含むカレンダー２１０６が所定の表示領域に配置されている。カレンダー２１０６に含まれる複数の日付領域には、対応する日付と関連付けられている音声データとリンク付けされたオブジェクトである音声日記アイコン２１０７、２１０８が配置されている。音声日記アイコン２１０７は、自端末装置２１００aの録音処理部１１１aで録音された自ユーザの音声データを示すアイコンであり、音声日記アイコン２１０８は、他の端末装置２１００b&#12316;２１００nの録音処理部１１１b&#12316;１１１nで録音された他ユーザの音声データを示すアイコンである。自ユーザの音声データと他ユーザの音声データが判別可能なようにカレンダー画面表示処理部２１４６aは、異なるアイコンをカレンダー２１０６の対応する日付領域に配置して、カレンダー画面を表示部１１に表示する処理を行う。
【０１３２】
音声データ再生処理部１１４は、カレンダー画面に表示されたオブジェクトに対する指示操作に基づいて、オブジェクトにリンク付けされた音声データを再生する処理を行う。図３２では、自端末装置２１００aの録音処理部１１１aによって８月５日に録音処理が行われて、音声データ記憶処理部１１２aによって８月５日の日付けと関連付けられた状態で補助記憶装置１８に記憶されている音声データを、当該８月５日の日付領域に配置されている音声日記アイコン２１０７が押下されたことによって音声データ再生処理部１１４が当該補助記憶装置１８より読み出し、デコード処理やDA変換処理などの再生処理を行い、音声信号が音声出力部１４より外部に放音されている。
【０１３３】
次にデータ管理サーバ２２００について説明する。データ管理サーバ２２００は、ユーザ管理部２２０１と、サーバ側受信処理部２２０２とサーバ側送信処理部２２０３を具備する。
【０１３４】
ユーザ管理部２２０１は、複数のユーザ又は端末装置２１００a&#12316;２１００nの情報を関連づけた状態で管理する。図３３は、ユーザ管理部２２０１が管理するユーザ情報の一例を示している。図３３において音声データを共有するユーザを識別するユーザIDが関連付けられた状態で記憶されている。例えばユーザIDがVentuaidのユーザにはユーザIDがそれぞれCOCOとMelの２人のユーザの音声データが送信されるように設定されている。逆にユーザIDがVentuaidであるユーザの音声データは、ユーザIDがCOCOであるユーザに送信されるように設定されている。その他、ユーザ情報としては端末装置２１００とデータ管理サーバ２２００の間での通信処理を確立するための認証処理に用いられる認証パスワードが合わせて管理されている。
【０１３５】
図３４は、ユーザ管理部２２０１が管理するユーザ情報の別の一例を示している。図３４では、ユーザ情報として、各端末装置２１００a&#12316;２１００nの固有のIDである端末ID同士が関連付けられた状態で管理されている。当該端末IDとしては例えばMACアドレスを用いることができる。また、図３４では各端末装置２１００a&#12316;２１００nのネットワーク上でのアドレスを示すIPアドレスも合わせて関連付けられた状態で記憶されている。
【０１３６】
これらのユーザ情報は、ユーザ情報データベース２３００に記憶される。ユーザ情報データベース２３００は、音声データを共有するユーザ同士の関連性をユーザ情報としてデータベース化している。ユーザ管理部２２０１は、各ユーザからの共有ユーザ設定要求に基づいて、共有に係るユーザを関連付けた状態でユーザ情報としてユーザ情報データベース２３００に格納する処理を行う。また、各ユーザからの共有ユーザ更新要求に基づいて、ユーザ情報データベース２３００に記憶されているユーザ情報を更新する処理を行い、音声データが共有されるユーザを追加・削除する。
【０１３７】
サーバ側受信処理部２２０２は、端末装置２１００a&#12316;２１００nより送信される音声データを受信する処理を行う。サーバ側送信処理部２２０３は、サーバ側受信処理部２２０２で受信された音声データを、関連付けられているユーザの端末装置に送信する処理を行う。
【０１３８】
図３３を例にとると、サーバ側受信処理部２２０２は、ユーザIDがVentuaidである第１ユーザの端末装置２１００aで録音処理が行われた後に送信される音声データを受信する処理を行う。サーバ側送信処理部２２０３は、当該受信されたユーザIDがVentuiadである第１ユーザの音声データを当該第１ユーザと関連付けられている第２ユーザであるユーザIDがCOCOであるユーザの端末装置２１００bに送信する処理を行う。
【０１３９】
このようにデータ管理サーバ２２００が端末装置２１００aで録音された音声データを、関連付けられているユーザの端末装置２１００bに転送する処理を行う。したがって、端末装置２１００bの受信処理部２１４５bは、当該データ管理サーバ２２００より送信されてくるユーザIDがVentuaidのユーザの音声データを受信する処理を行い、音声データ記憶処理部１１２bは、当該受信された音声データを録音日時と関連付けた状態で端末装置２１００b内部の補助記憶装置１８に記憶する処理を行う。当該記憶処理が行われた後に、カレンダー画面表示処理部２１４６bは、当該補助記憶装置１８に記憶されているVentuaidの音声データとリンク付けされたオブジェクトである他ユーザ用の音声日記アイコン２１０８を、当該音声データが録音された日付の日付領域に配置したカレンダーを所定の表示領域に配置してカレンダー画面を表示部１１に表示する処理を行う。
【０１４０】
以上のように、本実施形態６に係るデータ管理システムによれば、音声データを予め指定している特定のユーザ間でのみ共有出来る構成とすることで、音声データが情報発信ではなくコミュニケーションのための媒体と言う位置付けになる。このことによって音声データの内容を充実させることにそれほど注意を払う必要も無くなるため、日記を継続して付けることを促進することができる。
【０１４１】
なお、上記説明ではデータ管理サーバ２２００は受信した音声データをそのまま転送する場合について説明したが、これに限定するものではない。例えば、データ管理サーバ２２００は図３５のように構成されていても良い。図３５に示すデータ管理サーバ２２００は、フォルダ生成処理部２２０４と、サーバ側音声データ格納処理部２２０５とを具備する。
【０１４２】
フォルダ生成処理部２２０４は、ユーザ管理部２２０１が関連付けた状態で管理している複数のユーザ又は端末装置２１００a&#12316;２１００nの情報であるユーザ情報に基づいて、各ユーザのデータを格納するためのフォルダを生成する処理を行う。フォルダ生成処理部２２０４は、各ユーザ毎に生成されるプライベートフォルダと、複数のユーザが供給する共有フォルダの２種類を音声データベース２４００内に生成する。音声データベース２４００は、ユーザからの音声データを記憶しておくストレージである。
【０１４３】
サーバ側音声データ格納処理部２２０５は、サーバ側受信処理部２２０２で受信された音声データをユーザ管理部２２０１が管理するユーザ情報に基づいて対応するフォルダに格納する処理を行う。
【０１４４】
図３６は、フォルダ生成処理部２２０４が生成するフォルダの一例を示している。ルートフォルダ２２０４１の下層にメインプライベートフォルダ２２０４２とメイン共有フォルダ２００４３が生成されており、メインプライベートフォルダ２２０４２の下層に各ユーザのプライベートフォルダ２２０４２a&#12316;２２０４２nが生成されている。またメイン共有フォルダ２２０４３の下層に関連付けられた特定のユーザ間で共有される個別の共有フォルダ２２０４３a&#12316;２２０４３nが生成されている。図３６において共有フォルダ２２０４３aは、ユーザIDがVentuaidであるユーザはアクセスしてデータをダウンロードできるフォルダであるが、ユーザIDがCOCOとMelのユーザからの音声データが格納される。一方、共有フォルダ２２０４３bは、ユーザIDが太郎と花子であるユーザの両方がアクセスできるフォルダであり、両ユーザからの音声データが格納され、両ユーザは自由にダウンロードして再生することが可能である。
【０１４５】
このように、フォルダ生成処理部２２０４は、第１ユーザの音声データを格納する第１プライベートフォルダと、第１ユーザと関連付けられた第２ユーザと共有する音声データを格納する共有フォルダと、第２ユーザの音声データを格納する第２プライベートフォルダとをそれぞれ生成する処理を行う。そして、サーバ側音声データ格納処理部２２０５は、サーバ側受信処理部２２０２で受信された音声データを所定のフォルダに格納する処理を行う。このような構成により、音声データが限られたユーザ間で共有される仕組みとしても良い。
【０１４６】
また、上記説明では、カレンダー画面表示処理部２１４６は、所定の日付に録音された自ユーザと他ユーザの音声データにそれぞれリンク付けされた音声日記アイコンを同一カレンダーの対応する日付領域に配置する構成について説明したがこれに限るものではない。
【０１４７】
図３７、３８は、音声データとリンク付けされている音声日記アイコンを自ユーザ用のカレンダーと他ユーザ用のカレンダーの日付領域にそれぞれ配置しているカレンダー画面の一例を示している。カレンダー画面表示処理部２１４６は、自ユーザ用のカレンダーの日付領域に、自ユーザの音声データであって対応する日付に録音された音声データとリンク付けされている音声日記アイコンを配置した自ユーザ用のカレンダー画面を表示する処理を行う。また、カレンダー画面表示処理部２１４６は、他ユーザ用のカレンダーの日付領域に、他ユーザの音声データであって対応する日付に録音された音声データとリンク付けされている音声日記アイコンを配置した他ユーザ用のカレンダー画面を表示する処理を行う。このような構成とすることにより、比較的頻繁に再生する自ユーザの音声データだけを自ユーザ用のカレンダーから再生出来るため効率が良い。カレンダー画面表示処理部２１４６は、カレンダー画面に表示するカレンダを自ユーザ用と他ユーザ用とで切り替える切り替えボタンを合わせて表示する処理を行うと更に良好である。
【０１４８】
なお、自ユーザ用のカレンダーを図３９に示すカレンダーのようにしてトップ画面に表示することも当然可能である。また、図４０、図４１のように他ユーザ毎に個別のカレンダーを配置しても良い。カレンダー画面表示処理部２１４６は、予め音声データを共有する設定がされている他のユーザ毎に、当該他のユーザの音声データとリンク付けされた音声日記アイコンを対応する日付領域に配置したユーザ別カレンダーを所定の表示領域に配置したカレンダー画面を表示部１１に表示する処理を行う。なお、音声データには各ユーザIDなどユーザを識別する情報と関連付けられており、当該ユーザID等に基づいて音声データをユーザ毎に振り分けると良い。
【０１４９】
図４２はカレンダー画面表示処理部２１４６の具体的構成を示すブロック図である。カレンダー画面表示処理部２１４６は、カレンダー画面切り替え処理部２１４６１と、自ユーザカレンダー画面表示処理部２１４６２と、他ユーザカレンダー画面表示処理部２１４６３を具備する。
【０１５０】
カレンダー画面切り替え処理部２１４６１は、操作入力部１２または音声入力部１３を介して入力されるカレンダー切り替え指示に基づいて、表示部１１に表示するカレンダー画面を切り替える処理を行う。例えば、カレンダー画面切り替え処理部２１４６１は、カレンダー切り替えボタンが押下された場合に、表示部１１に表示されているカレンダー画面を他のカレンダー画面に切り替える処理を行う。
【０１５１】
自ユーザカレンダー画面表示処理部２１４６２は、録音処理部１１１における録音処理によって補助記憶装置１８に記憶されている自ユーザの音声データとリンク付けされている音声日記アイコンを、当該録音された日付の日付領域に配置したカレンダーを所定の表示領域に配置したカレンダー画面を表示部１１に表示する処理を行う。
【０１５２】
他ユーザカレンダー画面表示処理部２１４６３は、受信処理部２１４５で受信されて補助記憶装置１８に記憶されている他ユーザの音声データとリンク付けされている音声日記アイコンを、当該音声データが他のユーザの携帯端末装置で録音された日付の日付領域に配置したカレンダーを所定の表示領域に配置したカレンダー画面を表示部１１に表示する処理を行う。
【０１５３】
当該構成とすることで、自ユーザと他ユーザの音声日記を別々に管理することが可能となる。
【０１５４】
また、データ管理システムは、図４３の構成とすることも可能である。図４３において、端末装置２１００は、IPアドレス通知処理部２１４７を更に具備する。IPアドレス通知処理部２１４７は、所定のタイミングで自端末装置２１００のIPアドレスをデータ管理サーバ２２００に通知する処理を行う。
【０１５５】
図４４は、当該IPアドレスの通知処理の流れの一例を示すフローチャート図である。時間計測部１１７は、IPアドレス通知用の所定の時間を計測する処理を開始する（S６０１）。所定の時間計測が完了していない場合（S６０２でNo）、自端末装置２１００のIPアドレスが変更されているかどうかを判定する（S６０３）。IPアドレスが変更されていない場合（S６０３でNo）、S６０２に戻る。一方、所定の時間計測が完了した場合（S６０２でYes）またはIPアドレスが変更されていた場合（S６０３でYes）、IPアドレス通知処理部２１４７は、現在の自端末装置２１００のIPアドレスと、自ユーザを識別するユーザIDとを含むIPアドレス通知パケットを生成する（S６０４）。送信処理部２１４４は、IPアドレス通知処理部２１４７が生成したIPアドレス通知パケットをデータ管理サーバ２２００に送信する処理を行う（S６０５）。
【０１５６】
データ管理サーバ２２００においてサーバ側受信処理部２２０２は、各端末装置２１００より送信されてくるIPアドレス通知パケットを受信する処理を行う（S６０６）。ユーザ管理部２２０１は、当該IPアドレス通知パケットに含まれるユーザIDのユーザのIPアドレスを更新する処理を行うことでユーザ情報を管理する（S６０７）。
【０１５７】
当該処理を経ることで、ユーザ情報データベース２３００に記憶されるユーザ情報には、図３４に示すようにユーザIDと最新のIPアドレスが関連付けられた状態で記憶される。従って、サーバ側受信処理部２２０２で音声データが受信された場合に、サーバ側送信処理部２２０３は、当該音声データを共有先のユーザに送信する処理を行うことができる。
【０１５８】
（実施形態７）
日頃から日記として付ける音声データはプライバシーを多分に含むため、如何に日記を共有出来るほど親しい間柄であったとしても、今日の日記だけは共有したくないという事態が発生する。そのため、音声データを共有するかどうかを柔軟に選択出来る構成をとることが好ましい。本実施形態７に係るデータ共有システムはこのような選択を可能とする。
【０１５９】
図４５は、本実施形態７に係るデータ共有システムの構成を示すブロック図である。データ共有システムに含まれる端末装置３１００は新たに送信設定用画面表示処理部３１４８と、送信設定処理部３１４９と、送信選択画面表示処理部３１５０を具備する。
【０１６０】
送信設定用画面表示処理部３１４８は、操作入力部１２又は音声入力部１３を介してユーザより送信設定指示を入力した場合に、表示部１１に送信設定用画面を表示する処理を行う。
【０１６１】
図４６は送信設定用画面３１０１の一例を示している。送信設定用画面表示処理部３１４８は、録音処理で生成される音声データをユーザからの操作指示無しに自動的に予め設定している共有ユーザにデータ管理サーバ２２００経由で送信するか、録音処理で生成される音声データを送信する前にユーザからの送信指示を入力する必要があるかを設定するための送信設定用画面３１０１を示している。送信設定用画面３１０１は、音声データをユーザからの操作指示無しに自動的に送信するための自動送信ボタン３１０２と、ユーザからの操作指示を待つ手動送信ボタン３１０３が所定の表示領域に配置されている。図４６の例では手動送信ボタン３１０３がユーザによって押下されており、手動送信に設定されている。
【０１６２】
また、図４６の例では手動送信に設定されているため、合わせて、録音処理で生成される音声データを送信する前にユーザからの送信指示が入力されることをどれだけの時間待つかを示す送信待機時間の設定パネル３１０４が配置されている。
【０１６３】
送信設定処理部３１４９は、送信設定用画面表示処理部３１４８が表示する予め関連付けられたユーザへの音声データの送信を自動的に行うか手動で行うかを設定する。送信設定処理部３１４９は、送信設定用画面表示処理部３１４８が表示する予め関連付けられたユーザへの音声データの送信を自動的に行うか手動で行うかを設定する送信設定用画面３１０１を介して入力される操作指示に基づいて上記設定を行う。より具体的には送信設定処理部３１４９は、送信設定用画面３１０１を介してユーザより入力された内容を送信設定情報として補助記憶装置１８に記憶する処理を行うことで上記設定を行う。
【０１６４】
トップ画面表示処理部１１０は、録音処理を開始するための録音ボタンが少なくとも配置されたトップ画面を表示部１１に表示する処理を行う。当該録音ボタンが押下されることによって録音開始の指示が操作入力部１２を介して入力された場合、録音処理部１１１は、音声入力部１３より入力される音声を録音する処理を開始する。
【０１６５】
送信選択画面表示処理部３１５０は、当該録音開始の指示が操作入力部１２を介して入力されることで録音処理が開始されることに伴って、所定の送信選択画面３１０５を表示部１１に表示する処理を行う。
【０１６６】
図４７は、当該送信選択画面３１０５の一例を示している。送信選択画面３１０５には現在録音処理している又は録音処理が完了した音声データを予め共有用に登録している他のユーザに送信するための音声データ送信ボタン３１０６が配置されている。
【０１６７】
時間計測処理部１１７は、当該録音処理が修了したのに合わせて所定の時間計測を開始する。送信設定処理部３１４９によって当該計測時間を示す上述の待機時間が合わせて設定されている場合は、当該待機時間で示される時間の計測を行う。
【０１６８】
送信選択画面表示処理部３１５０は、上記時間計測が完了した場合又は音声データを送信するか否かの操作指示が操作入力部１２を介して入力された場合に、送信選択画面の表示を修了する処理を行う。
【０１６９】
また、送信処理部２１４４は、送信選択画面に表示された送信ボタンが押下された場合に、当該音声データをデータ管理サーバ２２００を介して予め登録されている共有ユーザに送信する処理を行う。
【０１７０】
図４８は、本実施形態７における録音処理の流れの一例を示すフローチャート図である。操作入力部１２や音声入力部１３においてユーザからの録音開始指示が入力された場合（S７０１でYes）、録音処理部１１１は、録音処理を開始する（S７０２）。続いて、送信設定処理部３１４９において自動送信設定が行われている場合（S７０３でYes）、送信選択画面表示処理部３１５０は、送信選択画面を表示部１１に表示する処理を行う（S７０４）。一方、自動送信設定が行われておらず手動送信設定が行われている場合（S７０３でNo）、録音画面表示部１１６は、録音画面を表示部１１に表示する処理を行う（S７０５）。なお、本実施形態では送信選択画面と録音画面は、図４７と図８が示すように音声データ送信ボタン３１０６が合わせて配置されているかいないかの違いであるものとする。
【０１７１】
録音処理が終了しておらず（S７０６でNo）、自動送信設定も行われていない場合（S７０７でNo）、送信処理部２１４４は音声データの送信フラグがセットされているかを判定する（S７０８）。送信フラグが立っていない場合(S７０８でNo)、音声データの送信指示が操作入力部１２を介してユーザより入力されたかを判定する（S７０９）。音声データの送信指示が入力された場合（S７０９でYes）、送信処理部２１４４は音声データの送信フラグをセットする処理を行う（S７１０）。当該音声データの送信フラグは、録音処理部１１１において録音処理が終了した場合に、予め設定されている音声データを共有するユーザに対して、データ管理サーバ２２００を介して直ちに音声データを送信することを示す情報である。録音処理は、操作入力部１２を介して録音処理の終了指示が入力された場合や、録音時間が予め設定されている録音上限時間に到達した場合に終了される構成とすると良い。
【０１７２】
録音処理が終了した場合（S７０６でYes）、自動送信設定が行われているかを再度判定する（S７１１）。自動送信設定が行われている場合（S７１１でYes）、送信処理部２１４４は、録音処理で生成された音声データをデータ管理サーバ２２００に送信する処理を行い（S７１６）、録音画面表示処理部１１６が録音画面の表示を終了する（S７１２）。一方、自動送信設定が行われていない場合（S７１１でNo）、送信処理部２１４４は送信フラグがセットされているかを判定する（S７１２）。送信フラグがセットされている場合（S７１２でYes）、送信処理部２１４４は、録音処理で生成された音声データをデータ管理サーバ２２００に送信する処理を行い（S７１６）、送信選択画面表示処理部３１４９は送信選択画面の表示を終了する（S７１２）。
【０１７３】
送信フラグがセットされていない場合（S７１２でNo）、時間計測部１１７は、送信選択用の時間計測を開始する（S７１３）。当該時間計測が完了する前に、操作入力部１２を介して音声データの送信指示が入力された場合（S７１４でYes）、送信処理部２１４４は、録音処理で生成された音声データをデータ管理サーバ２２００に送信する処理を行い（S７１６）、送信選択画面表示処理部３１４９は送信選択画面の表示を終了する（S７１２）。
【０１７４】
一方、音声データの送信指示が入力される前に時間計測処理が完了した場合（S７１５）、音声データの送信を行うこと無く、送信選択画面表示処理部３１４９は送信選択画面の表示を終了する（S７１２）。
【０１７５】
以上のように本実施形態に係る端末装置によれば、録音処理で生成される音声データを手動操作を経た後に送信するか、自動的に送信するかを柔軟に選択出来るため、音声日記である音声データの他のユーザとの共有が容易となる。
【０１７６】
なお、上記の送信ボタンは、録音処理で生成された音声データを予め関連付けられている他のユーザと共有するかどうかを選択するボタンであるため共有選択ボタンと称することがある。また、送信選択画面表示処理部３１４９は、録音処理で生成された音声データを予め関連付けられている他のユーザと共有するかどうかを選択する共有選択ボタンを表示パネルに表示する処理を行うため、共有選択ボタン表示処理部と称することがある。
【０１７７】
（実施形態８）
実施形態７に関するデータ管理システムでは、あるユーザの音声データが予め音声日記を共有する設定がされている他のユーザに送信され、他のユーザは当該送信された音声データを直ちに再生することができる。
【０１７８】
しかしながら、とある事例においては、音声データの内容を直ちには共有先のユーザで再生されたくないという場合が存在する。例えば、親子間で子供の日頃の生活を親に伝えるように当該データ管理システムを利用するケースが考えられるが、このような場合には、子供の音声日記である音声データを両親が直ちに再生出来ない方が好ましい場合がある。
【０１７９】
近年、イジメによる自殺が後を立たないが、これは現状、いじめられている子供がSOSを上手に出すことができないことが課題として挙げられる。思春期の子供は虐められていることを両親や先生にプライドから知られたくない一方で、心の中で誰かに助けて欲しいと言う葛藤に苛まれているケースが多い。両親に向かって、「虐められているから助けて。」と直接吐露できる素直な子供は少ない。このようなケースにおいて、メッセージを伝えることができる本発明のデータ管理システムは、間接的にSOSを伝える形態をとるため、子供からしてみるとSOSを出しやすい。
【０１８０】
しかしながら、出来ることならば誰にも知られること無く現状を打破したいと考えている子供にとってSOSを出すタイミングとSOSが他人に届くタイミングが同じであると、その不器用さから限界まで我慢してしまう可能性がある。本実施形態８に係るデータ管理システムは、このような課題に適切に対処することを可能とする。
【０１８１】
図４９は、本実施形態８に係るデータ管理システムの構成を示すブロック図である。当該データ管理システムにおいて、端末装置４１００は、送信タイミング設定画面表示処理部４１５１と送信タイミング設定処理部４１５２と、送信タイミング判定処理部４１５３と、を具備する。
【０１８２】
送信タイミング設定画面表示処理部４１５１は、録音処理部１１１における録音処理で生成される音声データをデータ管理サーバ２２００を介して予め音声データを共有するユーザとして設定されている他のユーザに送信するタイミングを設定する送信タイミング設定画面を表示部１１に表示する処理を行う。
【０１８３】
図５０は、当該送信タイミング設定画面４１０１の一例を示している。送信タイミング設定画面４１０１には、データ管理サーバ２２００を介して音声データを共有先のユーザの端末装置に送信するタイミングを設定する設定欄４１０２が配置されている。当該設定欄４１０２は、別の言い方をすれば録音処理が完了してから送信処理を行うまでの待機時間を表している。また、図５０の例では送信時間帯を設定する送信時間帯設定欄４１０３が合わせて配置されている。図５０の例では待機時間が５日間であって送信時間帯が１０時&#12316;２２時の間となるように設定されている。
【０１８４】
送信タイミング設定処理部４１５２は、送信タイミング設定画面４１０１を介して入力される内容に基づいて、録音処理部１１１における録音処理で生成された音声データを他のユーザに送信するタイミングを設定する処理を行う。なお、送信タイミング設定処理部４１５２は、送信タイミング設定画面４１０１を介して入力される内容に基づいて、録音処理部１１１における録音処理で生成された音声データを他のユーザに送信するタイミングを、当該他のユーザ毎に個別に設定する処理を行う構成とすると更に良好である。
【０１８５】
録音処理部１１１は、音声入力部１３で入力される音声を録音することで音声データを生成する処理を行う。音声データ記憶処理部１１２は、録音処理部１１１における録音処理で生成された音声データを当該録音日時と関連付けた状態で補助記憶装置１８に記憶する処理を行う。
【０１８６】
送信タイミング判定処理部４１５３は、現在の日時が音声データの送信タイミングと一致したかを判定する処理を行う。例えば録音処理が行われた日時が８月５日の２３時２１分であり、図５０で示される待機時間が５日後であって送信時間帯が１０時&#12316;２２時である送信タイミング設定が行われていた場合、送信タイミング判定処理部４１５３は、８月１１日の１０時になった時点で送信が可能になったと判定する。
【０１８７】
当該送信タイミングと一致した場合、送信処理部２１４４は、録音処理が行われた日時と関連づけた状態で音声データをデータ管理サーバ２１００に送信する処理を行う。当該音声データは、データ管理サーバ２１００を介して予め共有する設定が行われている他のユーザの端末装置４１００bへ送信される。
【０１８８】
当該他の端末装置４１００bにおいて、受信処理部２１４５は当該音声データを受信する処理を行い、音声データ記憶処理部１１２bは、当該音声データを録音処理が行われた日時と関連付けた状態で記憶する処理を行う。
【０１８９】
カレンダー画面表示処理部２１４６は、当該記憶された音声データとリンク付けされた音声日記アイコンを当該録音処理が行われた日付と対応する日付領域に配置したカレンダーを所定の表示領域に配置したカレンダー画面を表示部１１に表示する処理を行う。
【０１９０】
上記の例の場合、当該他の端末装置４１００bにおいて当該音声データが受信される日時は８月１１日１０時００分であるが、当該音声データと関連付けられている録音日時は８月５日２３時２１分である。従って、カレンダー画面表示処理部２１４６は、当該音声データとリンク付けされた音声日記アイコンをカレンダーの８月５日の日付領域に配置してカレンダー画面を表示部１１に表示する処理を行う。
【０１９１】
図５１は、端末装置４１００の音声データの送信までの処理の流れの一例を示すフローチャート図である。操作入力部１２や音声入力部１３を介して録音開始指示が入力された場合（S８０１でYes）、録音処理部１１１は録音処理を開始する（S８０２）。録音処理を終了する指示が操作入力部１２や音声入力部１３を介して入力された場合（S８０３でYes）、録音処理部１１１は録音処理を終了し（S８０４）、音声データ記憶処理部１１２は当該録音処理で生成された音声データを録音日時と関連付けた状態で補助記憶装置１８に記憶する処理を行う（S８０５）。
【０１９２】
送信タイミング判定処理部４１５３は、録音処理が終了してから予め設定されている待機時間が経過したかを判定する（S８０６）。当該待機時間が経過している場合（S８０６でYes）、現在の時刻が予め設定されている送信時間帯に含まれているかを判定する（S８０７）。現在の時刻が当該送信時間帯に含まれている場合（S８０８）、送信処理部２１４４は、当該音声データを補助記憶装置１８より読み出し、録音日時と関連づけた状態でデータ管理サーバ２２００に送信する処理を行う（S８０９）。当該音声データを受信したデータ管理サーバ２２００は、所定のタイミングが来た場合又は共有先のユーザの端末装置４１００bからの送信要求に基づいて当該音声データを当該端末装置４１００bに送信する処理を行う。
【０１９３】
以上のように、本実施形態に係るデータ管理システムによれば、第１の端末装置における録音処理で生成された音声データが、予め設定されている待機時間が経過した後に予め設定されている第２の端末装置へ送信される。したがって、第１のユーザが行う録音処理のタイミングと第２のユーザが再生処理を行うタイミングを制御することが出来る。したがって、例えばイジメにあっていてSOSを出したい子供である第１ユーザは助けを求める内容の録音処理を取り敢えず行い、その後自分なりに独力で解決を試みるものの、イジメが解決に至らなかった場合に、待機時間経過後、子供が特段の操作を行うこと無くこの助けを求める音声データが第２ユーザである親の端末装置で再生可能となる。したがって、子供の心理状況からすれば、SOSを発信するタイミングとSOSが届くタイミングにズレを生じさせることでSOSを発信しやすくなる。
【０１９４】
なお、上記説明では送信タイミング設定部４１５２は、録音処理が行われてから待機する時間を当該送信タイミングとして設定する場合について説明したがこれに限定するものではない。例えば、送信日時を具体的に指定する形で送信タイミングを設定する構成としても良い。例えば、８月１２日の午前０時００分と言う形で送信タイミングを設定した場合、録音処理部１１１で録音処理が行われて音声データ記憶部１１２で録音日時と関連付けられた状態で補助記憶装置１８に記憶された音声データは、当該送信タイミングである８月１２日の午前０時００分に読み出されて送信処理部２１４４よりデータ管理サーバ２２００へ送信される。
【０１９５】
なお、上記説明では端末装置４１００内において送信タイミングが制御される構成について説明したがこれに限定するものではない。例えば、データ管理サーバ２２００側に当該機能を持たせることも可能である。
【０１９６】
図５２においてデータ管理サーバ４２００は、サーバ側送信タイミング設定処理部４２０６とサーバ側音声データ移動処理部４２０７とを具備する。
【０１９７】
サーバ側送信タイミング設定処理部４２０６は、サーバ側受信処理部２２０２で受信された音声データを、送信先ユーザに送信するタイミングを設定する。
【０１９８】
フォルダ生成処理部２２０４は、少なくとも音声データの送信元ユーザがアクセス可能なプライベートフォルダと、当該送信元ユーザと音声データを共有する送信先ユーザとがアクセス可能な共有フォルダの２つのフォルダを生成する処理を行う。
【０１９９】
サーバ側受信処理部２２０２は、音声データを端末装置２１００より受信した場合に、当該音声データを送信元ユーザのプライベートフォルダに格納する処理を行う。
【０２００】
サーバ側音声データ移動処理部４２０７は、プライベートフォルダに格納している音声データであって、サーバ側送信タイミング設定処理部４２０６が設定する送信タイミングが来た音声データを共有フォルダに移動又は複製する処理を行う。
【０２０１】
サーバ側送信処理部２２０３は、送信先ユーザの端末装置２１００bからの当該共有フォルダへのアクセスに基づいて、当該音声データを録音処理が行われた日時と関連付けた状態で送信する処理を行う。このように構成されていても良い。
【０２０２】
なお、データ管理システムは図５３の構成としても良い。図５３において、端末装置４１００の送信処理部２１４４は、録音処理部１１１における録音処理で生成された音声データを、録音処理が行われた日時に加えて送信タイミング設定処理部４１５２で設定されている内容を示す送信タイミング情報と関連付けた状態でデータ管理サーバ２２００に送信する処理を行う。
【０２０３】
データ管理サーバ２２００において、サーバ側送信処理部２２０３は、当該音声データ二関連付けられている送信タイミング情報で示されるタイミングに音声データを送信先のユーザの端末装置へ送信する処理を行う。当該構成によっても、音声データは、予め設定されている送信タイミングにしたがって送信先のユーザの端末装置へ送信される。
【０２０４】
（実施形態９）
本実施形態９に係るデータ管理システムも、実施形態８と同様、第１ユーザの携帯端末装置における録音処理で生成された音声データが、第２ユーザの携帯端末装置において再生できるようになるまでのタイミングを制御することを目的としている。
【０２０５】
図５４は、本実施形態９に係るデータ管理システムの構成を示すブロック図である。データ管理システムは、複数のユーザがそれぞれ所有している複数の携帯端末装置５１００a&#12316;５１００nと、データ管理サーバ２２００と、ユーザ情報データベース２３００と、音声データベース２４００とを具備する。
【０２０６】
携帯端末装置５１００は、音声データ送信先ユーザ設定処理部５１５３と、再生可能タイミング設定処理部５１５４と、録音処理部１１１と、音声データ記憶処理部１１２と、送信処理部２１４４と、受信処理部２１４５と、カレンダー画面表示処理部２１４６と、音声再生処理部１１４と、を具備する。
【０２０７】
音声データ送信先ユーザ設定処理部５１５３は、録音処理部１１１における録音処理で生成される音声データを送信するユーザを設定する処理を行う。当該設定処理は、データ管理サーバ２２００のユーザ管理部２２０１に含まれるサーバ側設定処理部との恊働で行われる。
【０２０８】
再生可能タイミング設定処理部５１５４は、録音処理部１１１における録音処理で生成される音声データを、音声データ送信先ユーザ設定処理部５１５３における設定処理によって予め設定されている音声データ送信先ユーザの携帯端末装置５１００で再生可能となるタイミングを設定する処理を行う。当該再生可能タイミングに関する設定処理もデータ管理サーバ２２００のユーザ管理部２２０１に含まれるサーバ側設定処理部との恊働で行われる構成とすることも可能である。
【０２０９】
録音処理部１１１は、ユーザからの録音開始指示に基づいて音声入力部１３より入力される音声に対してエンコード処理等の録音処理を行い、音声データを生成する。音声データ記憶処理部１１２は、当該生成された音声データを録音処理が行われた日時と関連づけた状態で補助記憶装置１８に記憶する処理を行う。
【０２１０】
送信処理部２１４４は、録音処理部１１１で生成された音声データをデータ管理サーバ２２００に送信する処理を行う。また、送信処理部２１４４は、音声データ送信先ユーザ設定処理部５１５３が行う送信先ユーザ設定処理や再生可能タイミング設定処理部５１５４が行う再生可能タイミングに関する設定処理で必要となる設定情報をデータ管理サーバ２２００に送信する処理を行う。
【０２１１】
受信処理部２１４５はデータ管理サーバ２２００より、自ユーザが送信先ユーザとして設定されている他のユーザからの音声データを受信する処理を行う。音声データ記憶処理部２１４３は、当該他ユーザの音声データを補助記憶装置１８に記憶する処理を行う。
【０２１２】
また、受信処理部２１４５は、当該他のユーザの音声データが再生可能になるタイミングを示す再生可能タイミング情報を受信する処理を行う。当該再生可能タイミング情報は、当該他のユーザの音声データと共に受信されても良いし、当該他のユーザの音声データについての再生可能タイミングを示す情報として、他ユーザの再生可能タイミング設定処理が行われる中で受信される構成としても良い。
【０２１３】
再生可能状態変更処理部２１４６は、受信処理部２１４５で受信された他ユーザの音声データの再生可能状態を変更する処理を行う。再生可能状態変更処理部２１４６は、受信処理部２１４５で受信されて音声データ記憶処理部１１２によって補助記憶装置１８に記憶されている他ユーザの音声データであって、当該音声データの再生可能タイミングを過ぎた場合に、当該音声データを再生不可状態から再生可能状態へ変更する処理を行う。ここで、受信処理部２１４５は、他のユーザの携帯端末装置５１００における録音処理で生成された音声データを、当該録音処理が行われた日時と関連付けた状態で受信する構成とすると更に良好である。
【０２１４】
カレンダー画面表示処理部２１４６は、音声データ記憶部１１２で記憶された他のユーザの音声データであって、再生可能状態変更処理部２１４６によって再生可能状態に変更されている音声データとリンク付けされたオブジェクトをカレンダーの所定の日付領域に配置したカレンダー画面を表示部１１に表示する処理を行う。当該オブジェクトは音声再生が可能なことを示すオブジェクトである。カレンダー画面表示処理部２１４６は、音声データ記憶部１１２で記憶された他のユーザの音声データであっても、再生可能状態変更処理部２１４６によって再生可能状態に変更されていない音声データとリンク付けされたオブジェクトはカレンダー画面に表示しない。ただし、まだ再生出来ないことを示すオブジェクトであれば、カレンダー画面に表示する構成としても良い。
【０２１５】
音声再生処理部１１４は、カレンダー画面に表示されているオブジェクトに対する指示操作に基づいて、当該オブジェクトにリンク付けされている音声データを補助記憶装置１８より読み出して再生する処理を行う。
【０２１６】
データ管理サーバ２２００において、ユーザ管理部２２０１は、サーバ側設定処理部２２０１１とサーバ側登録処理部２２０１２を備える。サーバ側設定処理部２２０１１は、端末装置５１００における音声データ送信先ユーザ設定処理部５１５３における送信先ユーザの設定処理に応じて、サーバ側で当該送信先ユーザを設定する処理を行う。サーバ側登録処理部２２０１２は、当該設定された送信先ユーザと設定にかかるユーザを関連付けた状態でユーザ情報としてユーザ情報データベース２３００に登録する処理を行う。なお、再生可能タイミング設定処理部５１５４における再生可能タイミングの設定処理に応じて、当該ユーザの再生可能タイミングをサーバ側設定処理部２２０１１が設定する処理を行い、サーバ側登録処理部２２０１２が当該再生可能タイミングをユーザ情報に一部として登録する処理を行う構成とすることも可能である。
【０２１７】
（実施形態１０）
以上のように、実施形態８&#12316;９は、第１のユーザの音声データを予め設定されたタイミング以降に第２のユーザが再生出来ることを特徴としている。すなわち、録音した音声データを他のユーザと共有したいという欲求がある一方で、ある程度時間が経過した後に当該他のユーザが聞くことができるようにしたいという欲求がある。本実施形態１０は、当該共有の仕組みを一般拡張している。
【０２１８】
図５５は、当該実施形態１０に係るデータ管理システムの構成を示すブロック図である。データ管理システムは複数の携帯端末装置６１００と、データ管理サーバ６２００と、ユーザ情報データベース６３００と、日記データベース６４００を含んで構成される。データ管理システムに含まれる複数の携帯端末装置６１００は、送信先ユーザ設定処理部６１０１と、再生可能タイミング設定処理部６１０２と、日記データ生成処理部６１０３と、自ユーザ日記データ記憶処理部６１０４と、自ユーザ日記データ送信処理部６１０５と、他ユーザ日記データ受信処理部６１０６と、他ユーザ日記データ記憶処理部６１０７と、再生可能状態変更処理部６１０８と、画面表示処理部６１０９と、日記データ再生処理部６１１０とを具備する。
【０２１９】
送信先ユーザ設定処理部６１０１は、自端末装置の自ユーザからの送信先ユーザ設定指示に基づいて日記データの送信先となる送信先ユーザを設定する処理を行う。日記データとしては、音声データや映像データ、文章データなどの形態をとることができる。例えば、日記データが音声データである場合、送信先ユーザ設定処理部６１０１は、自ユーザからの送信先ユーザ設定指示に基づいて音声データの送信先となる送信先ユーザを設定する処理を行う。当該送信先ユーザ設定指示は、携帯端末装置が備える操作入力部１２などを介して入力される。
【０２２０】
図５６は当該送信先ユーザ設定処理の一例を示している。操作入力部１２等を介して自ユーザからの送信先ユーザを追加する操作が入力された場合（S１００１）、送信先ユーザ設定処理部６１０１は、当該入力を受けて送信先ユーザ追加要求をデータ管理サーバ６２００に送信する処理を行う（S１００２）。当該送信先ユーザ追加要求には、例えば自ユーザを識別するユーザIDと、追加に係る送信先ユーザを識別するユーザIDなどを含むパケットとすると良い。データ管理サーバ６２００が備えるサーバ側送信先ユーザ設定処理部６２０３は、当該送信先ユーザ追加要求を受信した場合、送信先ユーザの端末装置６１００に送信先ユーザ追加要求を送信する処理を行う（S１００３）。当該送信先ユーザ追加要求には、要求元ユーザを識別するユーザIDや送信先ユーザを識別するユーザIDが含まれる。
【０２２１】
当該送信先ユーザ追加要求を受信した送信先ユーザからの送信先ユーザ追加応答操作が入力された場合（S１００４）、当該送信先ユーザの端末装置の送信先ユーザ設定処理部６１０１は、送信先ユーザ追加応答をデータ管理サーバ６２００に返信する（S１００５）。なお、送信先ユーザ追加応答操作としては、送信先ユーザに追加されることを了承する操作と拒絶する操作があるが、ここでは、了承する操作が入力された場合について説明する。送信先ユーザ設定処理部６１０１は、送信先ユーザに追加されることを了承することを示す送信先ユーザ追加応答をデータ管理サーバ６２００に返信する。
【０２２２】
サーバ側送信先ユーザ設定処理部６２０３は当該送信先ユーザ追加応答を受信し、その内容が送信先ユーザに追加されることを了承するものであった場合、サーバ側送信先ユーザ登録処理部６２０２は、送信元ユーザと送信先ユーザを関連付けた状態でユーザ情報としてデータベースに登録する処理を行う（S１００６）。
【０２２３】
サーバ側送信先ユーザ設定処理部６２０３は、送信先ユーザ追加応答を要求元ユーザの端末装置に送信し（S１００７）、当該要求元ユーザの端末装置のサーバ側送信先ユーザ設定処理部６１０１は、当該送信先ユーザを識別するユーザIDなどを送信先ユーザ情報として記憶する処理を行い、送信先ユーザ設定処理を終了する（S１００８）。
【０２２４】
再生可能タイミング設定処理部６１０２は、自端末装置の自ユーザからの再生可能タイミング設定指示に基づいて、送信先ユーザの端末装置において日記データの再生が可能となるタイミングを設定する処理を行う。例えば、日記データが音声形式である場合、再生可能タイミング設定処理部６１０２は、送信先ユーザの端末装置において音声データの再生が可能となるタイミングを設定する処理を行う。
【０２２５】
図５７は、当該再生可能タイミング設定処理の流れの一例を示すシーケンス図である。自端末装置の自ユーザからの再生可能タイミング設定指示が入力された場合（S１１０１）、再生可能タイミング設定処理部６１０２は、当該入力を受けて送信先ユーザの端末装置において日記データの再生が可能となるタイミング示す再生可能タイミング情報をデータ管理サーバ６２００に送信する処理を行う（S１１０２）。データ管理サーバ６２００が備えるサーバ側再生可能タイミング設定処理部６２０４は、当該送信先ユーザ追加要求を受信した場合、送信先ユーザの端末装置６１００に当該再生可能タイミング情報を送信する処理を行う（S１１０３）。自ユーザを送信先ユーザに設定している他のユーザより送信された再生可能タイミング情報を受信した端末装置の再生可能タイミング設定処理部６１０２は、当該他のユーザに係る再生可能タイミング情報を補助記憶装置１８に記憶する処理を行うことで、当該他のユーザに係る再生可能タイミング情報を登録する（S１１０４）。
【０２２６】
送信先ユーザの端末装置の再生可能タイミング設定処理部６１０２は、当該他のユーザに係る再生可能タイミング情報の登録が完了したことを示す再生可能タイミング設定完了通知情報を生成してデータ管理サーバ６２００に送信する処理を行う（S１１０５）。当該送信先ユーザの端末装置からの再生可能タイミングの登録の応答を受けて、データ管理サーバ６２００のサーバ側再生可能タイミング設定処理部６２０４は、当該再生可能タイミングをユーザ情報としてデータベースに登録する処理を行う（S１１０５）。続いて、送信元ユーザの端末装置６１００に、再生可能タイミングの登録が完了したことを示す応答を送信し（１１０６）、送信元ユーザの端末装置６１００の再生可能タイミング設定処理部６１０２は、当該再生可能タイミング情報を補助記憶装置１８に記憶する処理を行うことで送信可能タイミングを登録する（S１１０７）。以上により、再生可能タイミングの設定処理が完了する。
【０２２７】
日記データ生成処理部６１０３は、自ユーザからの日記データ生成指示に基づいて日記データを生成する処理を行う。例えば日記データの形式が音声形式である場合、日記データ生成処理部６１０３は、上述した録音処理部１１１と同様、録音開始指示に基づいて、音声入力部１３より入力される音声を録音して音声データを生成する処理を行う。
【０２２８】
自ユーザ日記データ記憶処理部６１０４は、日記データ生成処理部６１０３で生成される自ユーザの日記データを、当該日記データが生成された日時と関連付けた状態で補助記憶装置１８に記憶する処理を行う。例えば日記データの形式が音声形式である場合、自ユーザ日記データ記憶処理部６１０４は上述した音声データ記憶処理部１１２と同様、日記データ生成処理部６１０３における録音処理によって生成される音声データを、録音処理が行われた日時と関連付けた状態で記憶する処理を行う。
【０２２９】
自ユーザ日記データ送信処理部６１０５は、日記データ生成処理部６１０３で処理で生成された日記データを生成された日時と関連付けた状態で所定のデータ管理サーバ６２００へ送信する処理を行う。例えば日記データの形式が音声形式である場合、自ユーザ日記データ送信処理部６１０５は、上述した送信処理部２１４４と同様、録音処理で生成された音声データを録音された日時と関連付けた状態で所定のデータ管理サーバ６２００へ送信する処理を行う。
【０２３０】
他ユーザ日記データ受信処理部６１０６は、自ユーザを送信先ユーザとして設定している他のユーザの日記データを、当該他のユーザの端末装置において日記データが生成された日時と関連付けた状態で受信する処理を行う。例えば日記データが音声形式である場合、他ユーザ日記データ受信処理部６１０６は、上述した受信処理部２１４５と同様、自ユーザを送信先ユーザとして設定している他のユーザの音声データを、他のユーザの端末装置において録音処理が行われた日時と関連付けた状態で受信する処理を行う。
【０２３１】
他ユーザ日記データ記憶処理部６１０７は、受信された日記データを他のユーザの端末装置において当該日記データが生成された日時と関連付けた状態で記憶する処理を行う。なお、他ユーザ日記データ記憶処理部６１０７は、当該日記データの送信元ユーザを識別するユーザIDと関連付けた状態で当該日記データを記憶する構成とすると更に良好である。例えば、日記データが音声形式である場合、他ユーザ日記データ記憶処理部６１０７は上述した音声データ記憶処理部６１０４と同様、他ユーザ日記データ受信処理部６１０６で受信された音声データを他のユーザの端末装置において録音処理が行われた日時と関連付けた状態で記憶する処理を行う。
【０２３２】
再生可能状態変更処理部６１０８は、他ユーザ日記データ記憶処理部６１０７によって記憶されている他のユーザの日記データの再生可能状態を変更する処理を行う。例えば、他ユーザ日記データ記憶処理部６１０７は、受信された他のユーザの日記データを仮のフォルダに一旦格納し、再生可能状態変更処理部６１０８は、この仮のフォルダに格納されている日記データであって、再生可能タイミングを経過した日記データを再生可能フォルダに移動することで他ユーザの日記データの再生可能状態を変更する処理を行う。
【０２３３】
また、再生可能状態変更処理部６１０８は、他ユーザ日記データ記憶処理部６１０７によって記憶されている他のユーザの日記データのうち、再生可能タイミングを経過した日記データに再生可能状態フラグを立てることで再生可能状態を変更する処理を行う構成とすることも可能である。
【０２３４】
図５８は、自ユーザ日記データ記憶処理部６１０４と他ユーザ日記データ記憶処理部６１０７がそれぞれ補助記憶装置１８に記憶している日記データの一覧を示している。なお、自ユーザがVentuaidであり、他ユーザがCOCOとMelであるとする。すなわち、当該端末装置のユーザがVentuaidであり、自ユーザであるVentuaidからの日記データ生成指示に基づいて生成された日記データが自ユーザ日記データ記憶処理部６１０４によって補助記憶装置１８に記憶されている。また、他ユーザであるCOCOとMelの端末装置でそれぞれ生成された日記データが他ユーザ日記データ受信処理部６１０６で受信され、他ユーザ日記データ記憶処理部６１０７によって補助記憶装置１８に記憶されている。
【０２３５】
図５９は、再生可能タイミング設定処理部６１０２で設定されているCOCOとMelの日記データに係る再生可能タイミングを示している。COCOとMelの端末装置における再生可能タイミング設定処理部６１０２は、Ventuaidを送信先としてそれぞれ日記データの生成から３日後と４日後に、Ventuaidの端末装置によって日記データの再生が可能となるように設定している。自ユーザであるVentuaidの端末装置における再生可能タイミング設定処理部６１０２は、当該COCOとMelに係る日記データの再生可能タイミングを示す再生可能タイミング情報を受信する処理を行い、補助記憶装置１８に記憶することで他ユーザの日記データの再生可能タイミングを登録している。
【０２３６】
図５８に戻って、現在の日時が８月８日とする。自ユーザであるVentuaidの日記データは、常に再生が可能なことを示すフラグ１が設定されている。一方、図５９に示すように他ユーザであるCOCOは自ユーザであるVentuaidに対して自分の日記データを生成してから３日経過後に再生可能となるように再生可能タイミングを設定している。したがって、３日以前である８月４日以前に生成された日記データについては再生可能状態変更処理部６１０８はフラグを０から１に変更する処理が完了している。一方、３日が経過していない８月５日以降に生成された日記データについてはフラグが０に設定されている。同様に、他ユーザであるMelは自ユーザであるVentuaidに対して自分の日記データを生成してから４日経過後に再生可能となるように再生可能タイミングを設定している。したがって、４日以前である８月３日以前に生成された日記データについては再生可能状態変更処理部６１０８はフラグを０から１に変更する処理が完了している。一方、４日が経過していない８月４日以降に生成された日記データについてはフラグが０に設定されている。ここで、フラグ１は日記データの再生が可能なことを示すフラグであり、フラグ０は、日記データの再生ができないことを示すフラグである。
【０２３７】
画面表示処理部６１０９は、他ユーザ日記データ記憶処理部６１０７によって記憶されている他のユーザの日記データであって、再生可能タイミングを経過している日記データとリンク付けされているアイコンを所定の領域に配置した画面を表示パネルに表示する処理を行う。例えば、画面表示処理部６１０９は、再生可能タイミングを経過している日記データとリンク付けされているアイコンを、当該日記データが他のユーザの端末装置で生成された日付に対応する日付領域に配置したカレンダー画面を表示パネルに表示する処理を行う。
【０２３８】
すなわち、画面表示処理部６１０９は、他ユーザ日記データ記憶処理部６１０７によって記憶されている他のユーザの日記データであって、再生可能タイミングを経過したことにより再生可能状態変更処理部６１０８によって再生可能状態に変更されている日記データとリンク付けされているアイコンを所定の領域に配置した画面を表示パネルに表示する処理を行う。例えば日記データが音声形式である場合、画面表示処理部６１０９は、他ユーザ日記データ記憶処理部６１０７によって記憶されている他のユーザの音声データであって、再生可能タイミングを経過している音声データとリンク付けされているアイコンを所定の領域に配置した画面を表示パネルに表示する処理を行う。
【０２３９】
図６０は、図５８に対応する形で画面表示処理部６１０９が表示部１１に表示する画面の一例を示している。８月５日と８月６日に生成されたCOCOの日記データは、他ユーザ日記データ記憶処理部６１０７によって補助記憶装置１８に記憶されているが、再生可能タイミングを経過していないので、画面表示処理部６１０９は当該日記データとリンク付けされたアイコンは画面に表示しない。同様に、８月４日、８月５日、８月６日に生成されたMelの日記データは、他ユーザ日記データ記憶処理部６１０７によって補助記憶装置１８に記憶されているが、再生可能タイミングを経過していないので、画面表示処理部６１０９は当該日記データとリンク付けされたアイコンは画面に表示しない。画面表示処理部６１０９は、他ユーザ日記データ記憶処理部６１０７によって記憶されている日記データであって、再生可能タイミングを経過している日記データとリンク付けされたアイコンを、当該日記データが生成された日付と対応する日付領域に配置してカレンダー画面を表示する処理を行う。
【０２４０】
日記データ再生処理部６０１０は、画面表示処理部６１０９が画面に表示するアイコンに対する指示操作に基づいて、前記アイコンにリンク付けされている日記データを再生する処理を行う。日記データが音声データである場合、日記データ再生処理部６１１０は、画面表示処理部６１０９が画面に表示するアイコンに対する指示操作に基づいて、前記アイコンにリンク付けされている音声データに対してデコード等の各種処理を行い、音声を再生する。
【０２４１】
なお、画面表示処理部６１０９は、他ユーザ日記データ記憶処理部６１０７によって記憶されている他のユーザの日記データであって、再生可能タイミングを経過している日記データとリンク付けされている再生可能アイコンを所定の領域に配置し、再生可能タイミングを経過していない日記データの存在を示す再生不可能アイコンを所定の領域に配置した画面を表示パネルに表示する処理を行う構成としても良い。例えば、画面表示処理部６１０９は、再生可能タイミングを経過している日記データとリンク付けされている再生可能アイコンを、当該日記データが他のユーザの端末装置で生成された日付に対応する日付領域に配置し、再生可能タイミングを経過していない日記データの存在を示す再生不可能アイコンが、当該日記データが他のユーザの端末装置で生成された日付に対応する日付領域に配置したカレンダー画面を表示パネルに表示する処理を行う。
【０２４２】
図６１は、画面表示処理部６１０９が表示部１１に表示する日記データにリンクされた再生可能アイコン６１１１と日記データとリンクされていない再生不可能アイコン６１１２を対応する日付領域に配置したカレンダー画面の一例を示している。図６２は更に一日経過した８月９日時点でのカレンダー画面の一例を示している。
【０２４３】
図６１は、画面表示処理部６１０９が表示部１１に表示する日記データにリンクされた再生可能アイコン６１１１と日記データとリンクされていない再生不可能アイコン６１１２を対応する日付領域に配置したカレンダー画面の一例を示している。図６２は更に一日経過した８月９日時点でのカレンダー画面の一例を示している。再生可能状態変更処理部６１０８は、８月４日にMelの端末装置の日記データ生成処理部６１０３で生成された日記データと、８月５日にCOCOの端末装置の日記データ生成処理部６１０３で生成された日記データを再生可能状態に変更する処理を行っている。これにより、画像表示処理部６１０９は、８月４日の日付領域に配置していたMelの再生不可能アイコン６１１２を、新たに再生可能状態になったMelの日記データとリンク付けされた再生可能アイコン６１１１に変更してカレンダー画面を表示する処理を行っている。同様に、画像表示処理部６１０９は、８月５日の日付領域に配置していたCOCOの再生不可能アイコン６１１２を、新たに再生可能状態になったCOCOの日記データとリンク付けされた再生可能アイコン６１１１に変更してカレンダー画面を表示する処理を行っている。
【０２４４】
次にデータ管理サーバ６２００について説明する。データ管理サーバ６２００は、ユーザ情報登録処理部６２０１と、フォルダ生成処理部６２０２と、サーバ側送信先ユーザ設定処理部６２０３と、サーバ側再生可能タイミング設定処理部６２０４と、日記データ受信処理部６２０５と、日記データ格納処理部６２０６と、日記データ抽出処理部６２０７と、日記データ送信処理部６２０８とを具備する。
【０２４５】
ユーザ情報登録処理部６２０１は、ユーザ情報をユーザ情報データベース６３００に登録する処理を行う。ユーザ情報登録処理部６２０１は上述したユーザ管理部２２０１と略同一の機能を有し、本データ管理システムを利用するユーザを識別するユーザIDや当該ユーザのIPアドレスなどの情報をユーザ情報としてユーザ情報データベース６３００に登録する。
【０２４６】
フォルダ生成処理部６２０２は、ユーザ情報登録処理部６２０１において新たにユーザ登録されたユーザ用のフォルダを日記データベース６４００内に生成する処理を行う。
【０２４７】
サーバ側送信先ユーザ設定処理部６２０３は、端末装置６１００の送信先ユーザ設定処理部６１０１からの送信先ユーザ設定処理に基づいて、当該送信先ユーザをユーザ情報としてユーザ情報データベース６３００に登録する処理を行う。すなわち、サーバ側送信先ユーザ設定処理部６２０３は、日記データの送信元ユーザと送信先ユーザを関連付けた情報をユーザ情報の一部として登録する。その他上述したように、サーバ側送信先ユーザ設定処理部６２０３は、送信元ユーザの端末装置６１００と送信先ユーザの端末装置６１００の間に入って一連の設定処理を仲介する。
【０２４８】
サーバ側再生可能タイミング設定処理部６２０４は、送信元ユーザの端末装置で生成される日記データが、予め送信先ユーザとして設定されているユーザの端末装置で再生可能となるタイミングを設定する処理を行う。すなわち、サーバ側再生可能タイミング設定処理部６２０４は、送信元ユーザの端末装置で生成される日記データが、予め送信先ユーザとして設定されているユーザの端末装置で再生可能となるタイミングを示す再生可能タイミング情報をユーザ情報の一部としてユーザ情報データベース６３００に登録する。その他上述したように、サーバ側再生可能タイミング設定処理部６２０４は、再生可能タイミングの設定元ユーザの端末装置６１００と設定先ユーザの端末装置６１００の間に入って一連の設定処理を仲介する。例えば、サーバ側再生可能タイミング設定処理部６２０４は、日記データの送信元ユーザの端末装置で設定される再生可能タイミングを示す再生可能タイミング情報を受信する処理を行い、当該受信した再生可能タイミング情報を日記データの送信先ユーザの端末装置へ送信する処理を行う。
【０２４９】
日記データ受信処理部６２０５は、日記データの送信元ユーザの端末装置６１００で生成される日記データを受信する処理を行う。
【０２５０】
日記データ格納処理部６２０６は、フォルダ生成処理部６２０２が作成している当該受信した日記データの送信元ユーザのフォルダに格納する処理を行う。当該フォルダへのアクセス権限は、送信元ユーザの他、サーバ側送信先ユーザ設定処理部６２０１によって送信先ユーザとして設定されているユーザが有する。
【０２５１】
日記データ抽出処理部６２０７は、日記データ格納処理部６２０６が日記データベース６４００内のフォルダに格納した日記データを抽出する処理を行う。例えば、送信先ユーザの端末装置６１００より日記データの転送要求を受信した場合に、日記データ抽出処理部６２０７は、当該送信先ユーザがアクセス権限を有するフォルダの中から未送信の日記データを抽出する処理を行う。
【０２５２】
日記データ送信処理部６２０８は、当該抽出された日記データを要求元の送信先ユーザへ送信する処理を行う。
【０２５３】
なお、当該抽出処理および送信処理は送信先ユーザからの要求に基づいて行われても良いし、新たな日記データが日記データ受信処理部６２０５が受信された場合に、日記データ送信処理部６２０６は、当該日記データの送信元ユーザが送信先ユーザとして設定しているユーザの端末装置に対して当該日記データを送信する処理を行う構成としても良い。
【０２５４】
なお、上記説明では再生可能タイミング設定処理部６１０２は、ユーザ毎に再生可能タイミングを設定する構成について説明したが、日記データ生成処理部６１０３で生成される日記データ毎に再生可能タイミングを設定する構成とすると更に良好である。この場合、日記データ生成処理部６１０３において日記データが生成された場合、再生可能タイミング設定処理部６１０２は、当該生成された日記データの再生可能タイミングを入力する再生可能タイミング入力画面を表示部１１に表示する処理を行い、ユーザからの再生可能タイミング指示に基づいて、再生可能タイミングを設定する構成とすると良い。自ユーザ日記データ送信処理部６１０５は、生成された日記データと、当該日記データに設定されている再生可能タイミングを示す再生可能タイミング情報を合わせてデータ管理サーバ６２００を経由して送信先ユーザの端末装置６１００に送信する処理を行う。当該再生可能タイミング情報が付加された日記データを受信した送信先ユーザの端末装置において、再生可能状態変更処理部６１０７は、当該再生可能タイミング情報で示される再生可能タイミングを経過した場合に、当該日記データを再生可能な状態へ変更する処理を行う。
【０２５５】
なお、再生可能状態変更処理部は、図６３に示すようにデータ管理サーバ側に配置されていても良い。この場合、サーバ側再生可能状態変更処理部６２０９は、サーバ側再生可能タイミング設定処理部６２０４が設定する送信元ユーザの再生可能タイミングに基づいて、当該送信元ユーザの音声データの状態を再生不可能状態から再生可能状態へ変更する処理を行う。このように構成されていても良い。
【０２５６】
以上のように、本実施形態１０に係る携帯端末装置は、ユーザからの送信先ユーザ設定指示に基づいて音声データの送信先となる送信先ユーザを設定する処理を行う送信先ユーザ設定処理手段と、ユーザからの再生可能タイミング設定指示に基づいて、前記送信先ユーザの端末装置において前記音声データの再生が可能となるタイミングを設定する処理を行う再生可能タイミング設定処理手段と、自ユーザからの録音開始指示に基づいて録音処理を行う録音処理手段と、前記録音処理によって生成される音声データを、録音処理が行われた日時と関連付けた状態で記憶する処理を行う自ユーザ音声データ記憶処理手段と、前記録音処理で生成された音声データを録音された日時と関連付けた状態で所定のデータ管理サーバへ送信する処理を行う音声データ送信処理手段と、自ユーザを送信先ユーザとして設定している他のユーザの音声データを、前記他のユーザの端末装置において録音処理が行われた日時と関連付けた状態で受信する音声データ受信手段と、前記受信された他のユーザの音声データを前記他のユーザの端末装置において録音処理が行われた日時と関連付けた状態で記憶する処理を行う他ユーザ音声データ記憶処理手段と、前記記憶されている他のユーザの音声データであって、再生可能タイミングを経過している音声データとリンク付けされているアイコンを所定の領域に配置した画面を表示パネルに表示する処理を行う表示処理手段と、前記アイコンに対する指示操作に基づいて、前記アイコンにリンク付けされている音声データを再生する処理を行う音声再生処理手段と、を具備する。
【０２５７】
なお、他のユーザに対して設定されている再生可能タイミングを示す再生可能タイミング情報を登録する再生可能タイミング情報登録手段と、前記再生可能タイミング情報に基づいて、前記記憶されている他のユーザの音声データであって、前記再生可能タイミングを経過した音声データを再生可能状態に変更する処理を行う再生可能状態変更処理手段と、
を更に具備する構成とすると更に良好である。この場合、前記表示処理手段は、前記記憶されている他のユーザの音声データであって、再生可能状態に変更されている音声データとリンク付けされているアイコンを所定の領域に配置した画面を表示パネルに表示する処理を行う。
【０２５８】
また、複数の端末装置間のデータ送信を仲介するデータ管理サーバは、音声データの送信元ユーザとなる第１ユーザと、送信先ユーザとなる第２ユーザを関連付けた状態で登録するユーザ情報登録手段と、前記第１ユーザの端末装置で生成された音声データが第２ユーザの端末装置で再生可能となるタイミングを示す再生可能タイミング情報を登録する再生可能タイミング情報登録手段と、前記第１ユーザの端末装置で生成された音声データを受信する音声データ受信手段と、前記音声データを所定のフォルダに格納する音声データ格納手段と、前記所定のフォルダに格納されている音声データであって前記再生可能タイミングを経過している音声データを前記第２ユーザの端末装置へ送信する処理を行う音声データ送信処理手段と、を具備する。
【０２５９】
なお、上記説明では、音声データの再生可能タイミングを設定する場合について説明したが、これは当該音声データへアクセスできるタイミングと読み替えることが可能である。したがって、本実施形態１０に係る携帯端末装置は、ユーザからの送信先ユーザ設定指示に基づいて音声データの送信先となる送信先ユーザを設定する処理を行う送信先ユーザ設定処理手段と、ユーザからのアクセス可能タイミング設定指示に基づいて、前記送信先ユーザの端末装置において前記音声データへのアクセスが可能となるタイミングを設定する処理を行うアクセス可能タイミング設定処理手段と、自ユーザからの録音開始指示に基づいて録音処理を行う録音処理手段と、前記録音処理によって生成される音声データを、録音処理が行われた日時と関連付けた状態で記憶する処理を行う自ユーザ音声データ記憶処理手段と、前記録音処理で生成された音声データを録音された日時と関連付けた状態で所定のデータ管理サーバへ送信する処理を行う音声データ送信処理手段と、自ユーザを送信先ユーザとして設定している他のユーザの音声データであってアクセス可能タイミングが経過している音声データを、前記他のユーザの端末装置において録音処理が行われた日時と関連付けた状態で受信する音声データ受信手段と、前記受信された他のユーザの音声データを前記他のユーザの端末装置において録音処理が行われた日時と関連付けた状態で記憶する処理を行う他ユーザ音声データ記憶処理手段と、前記記憶されている他のユーザの音声データとリンク付けされているアイコンを所定の領域に配置した画面を表示パネルに表示する処理を行う表示処理手段と、前記アイコンに対する指示操作に基づいて、前記アイコンにリンク付けされている音声データを再生する処理を行う音声再生処理手段と、を具備する。
【０２６０】
また、この場合のデータ管理サーバは、音声データの送信元ユーザとなる第１ユーザと送信先ユーザとなる第２ユーザを関連付けた状態で登録するユーザ情報登録手段と、前記第１ユーザの音声データに対して第２ユーザがアクセス可能となるタイミングを示すアクセス可能タイミング情報を登録するアクセス可能タイミング情報登録手段と、前記第１ユーザの音声データを受信する音声データ受信手段と、前記第１ユーザの音声データを所定のフォルダに格納する音声データ格納手段と、前記所定のフォルダに格納されている音声データであって前記アクセス可能タイミング情報に基づいて決定されるアクセス可能タイミングを経過している音声データに対する前記第２ユーザからのアクセスを受けた場合に、前記第２ユーザへ前記音声データを送信する処理を行う音声データ送信処理手段と、を具備する。
【０２６１】
このように、上述した再生可能タイミングや再生可能状態と言う文言は、適宜アクセス可能タイミングやアクセス可能状態または送信可能タイミングや送信可能状態と読み替えることが可能である。
【０２６２】
なお、上述したデータ管理システムは、メッセージ管理システムとすることができる。この場合、上述した日記データをメッセージデータと、データ管理サーバをメッセージ管理サーバと読み替えることが出来る。メッセージアプリケーションを端末装置６１００で実行することにより、同様の機能を実現することができる。
【０２６３】
なお、高齢化社会が進む現在の日本において本発明は、田舎に住む高齢の両親と、都会で働く子供との間のコミュニケーションを適正化する目的で使用することも非常に効果的である。日頃の仕事で忙しく両親とコミュニケーションを取る時間が十分に確保できていないながらも両親のことが気になる子供も多い。しかしながら、両親に問題や気になる点がないにもかかわらずこちらから電話をかけることは無駄な時間を発生させていることになる。本発明によれば、両親は自身の端末装置を用いて音声日記データや文章日記データ等の形式で日記データを生成し、当該日記データを送信先ユーザとして設定している子供に送信する。当該両親の日記データを受信した子供は、当該日記データを再生することで両親の日頃の生活を確認することができ、問題や気になる点があった場合にのみこちらから両親に電話を掛けるといったことが可能となる。したがって、電車の中等、空いた時間に両親の日記を確認することで、必要に応じてコミュニケーションを取ることが可能となる。なお、このようなことは、友人間などでも利用することが可能である。
【０２６４】
また、本発明は、夫婦間でのコミュニケーションの適正化においても非常に効果的である。夫婦間では、相手がメッセージを受け取るタイミングをあえて遅らせたい場合がある。例えば、夫婦げんかをしている場合では、お互いの感情が高ぶっているため、メッセージを送ったとしても相手側に適切に理解してもらえないことがある。このようなばあい、とりあえずその時の自分の言い分をメッセージとして送っておき、後日相手が冷静になった時にその時のメッセージを相手側が受け取って再生できる構成とすれば、夫婦間の問題の解決が促進されやすい。しかしながら、現存するコミュニケーション手段では、リアルタイム性を追求するがあまりメッセージが必要以上に早く相手側に届いてしまい、このような問題を解決することができなかった。これは以下の理由による。
【０２６５】
人間社会はコミュニケーションの上に成り立っているため、人類は他人に情報を伝達するためのコミュニケーション手段を発達させてきた。このようなコミュニケーション手段としては、のろし、手紙、モールス信号、電話、電子メールなどが挙げられる。
【０２６６】
一般的には、メッセージを送る他民具とメッセージを受け取るタイミングのタイムラグが小さいコミュニケーション手段がより優れているとされている。情報は、時間の経過と共に陳腐化する性質を有するためである。そのため、これまで人類はこのリアルタイム性の向上を目的として通信技術を発達させてきた。しかしながら、上述した夫婦げんかのような状況においては、現在のコミュニケーション手段は「気が利かない」ものとなっている。
【０２６７】
しかしながら、本実施形態にかかるデータ管理システムによれば、相手側の端末装置において再生可能となるタイミングを予め設定した上で、日記データを生成して送信し、当該生成可能タイミングを経過した場合に相手側で当該日記データの再生が可能となるため、上述したような状況に適切に対応することができる。このようなデータ管理システムはメッセージ管理システムと称されることもある。
【０２６８】
すなわち、このようなメッセージ管理システムにおいて、端末装置は、ユーザより操作入力部を介して入力されるメッセージ送信先ユーザ設定指示に基づいて、メッセージ生成処理部で生成されるメッセージデータの送信先とするユーザを設定する処理を行うメッセージ送信先ユーザ設定処理部を具備する。例えば、メッセージ送信先ユーザ設定処理部は、ユーザからのメッセージ送信先ユーザ設定開始指示に基づいてメッセージデータの送信先とするユーザを設定するメッセージ送信先ユーザ設定画面を表示部に表示する処理を行い、操作入力部を介して入力されｒうメッセージ送信先ユーザ設定指示に基づいてメッセージの送信先とするユーザを設定する処理を行う。
【０２６９】
また、端末装置は、メッセージ生成処理部で生成されるメッセージを、メッセージ送信先ユーザ設定処理部で設定されているメッセージ送信先ユーザが再生することができるようになるタイミングであるメッセージ再生可能タイミングを設定する処理を行うメッセージ再生可能タイミング設定処理部を具備する。当該メッセージ再生可能タイミングは、端末装置よりメッセージ管理サーバに送信するタイミングとしても良いし、メッセージ管理サーバより送信先ユーザの端末装置へ送信するタイミングであっても良いし、メッセージ管理サーバで当該メッセージデータを当該送信先ユーザがアクセス可能なように変更するタイミングであっても良いし、送信先ユーザの端末装置において、再生可能な状態に変更されるタイミングであっても良い。当該メッセージ再生可能タイミング設定処理部は、例えばメッセージ再生可能タイミングを設定するメッセージ再生可能タイミング設定画面を表示部に表示する処理を行い、操作入力部を介して入力されるメッセージ再生可能タイミング設定指示に基づいて、メッセージ生成処理部で生成されるメッセージを、当該メッセージの送信先ユーザの端末装置で再生可能な状態になるタイミングを設定する処理を行う。
【０２７０】
また、端末装置は、ユーザより入力されるメッセージ生成指示に基づいてメッセージデータを生成する処理を行うメッセージ生成処理部を具備する。第１メッセージデータ記憶処理部は、メッセージデータ生成処理部においてメッセージデータが生成された日時と関連付けた状態で当該メッセージデータを補助記憶装置に記憶する処理を行う。
【０２７１】
また、端末装置は、メッセージデータ生成処理部で生成されたメッセージをメッセージ管理サーバへ送信する処理を行うメッセージデータ送信処理部を具備する。メッセージデータ送信処理部は、自ユーザを識別するユーザＩＤやメッセージデータが生成された日時と関連付けたじょうたいで当該生成されたメッセージデータをメッセージ管理サーバへそうしんする処理を行う構成とすると更に良好である。
【０２７２】
また、端末装置は、予め自ユーザを送信先ユーザとして設定している他ユーザの端末装置で生成されたメッセージデータをメッセージ管理サーバを経由して受信する処理を行うメッセージデータ受信処理部を具備する。メッセージデータ受信処理部は、他ユーザを識別するユーザＩＤや当該受信されるメッセージデータが他ユーザの端末装置で生成された日時と関連付けた状態でメッセージデータをメッセージ管理サーバをより受信する処理を行う構成とすると更に良好である。
【０２７３】
また、端末装置は、メッセージ受信処理部で受信された他のユーザのメッセージデータを、当該メッセージデータが他ユーザの端末装置で生成された日時と関連付けた状態で補助記憶装置に記憶する処理を行う第２メッセージデータ記憶処理部を具備する。
【０２７４】
また、端末装置は、ユーザより入力されるメッセージ再生指示に基づいて、前記再生可能タイミングを経過している他ユーザのメッセージデータを再生する処理を行うメッセージデータ再生処理部を具備する。好ましくは、端末装置は、第２メッセージデータ記憶処理部によって補助記憶装置に記憶されているメッセージデータのうち、当該メッセージデータの送信元ユーザによって設定されている再生可能タイミングに基づいて、当該再生可能タイミングを経過したメッセージデータの状態を再生不可能状態から再生可能状態へ変更する処理を行うメッセージ再生可能状態変更処理部を具備する。メッセージ再生処理部は、当該メッセージ再生可能状態変更処理部によって再生可能状態へ変更された再生可能タイミングを経過しているメッセージデータに対するメッセージ再生指示がユーザより操作入力部を介して入力された場合に、当該指示に係るメッセージデータを補助記憶装置より読み出して再生する処理を行う。
【０２７５】
当該構成とすることで、メッセージデータの再生可能タイミングを制御しながらメッセージを送受信することが可能となる。なお、当該メッセージ管理システムに含まれるメッセージ管理サーバは、データ管理サーバと略同一の構成を有するため具体的な説明は省略する。
【０２７６】
（実施形態１１）
他のユーザが一日に多量の日記データを生成して送信してくると、送信先ユーザは煩わしく感じてしまう場合がある。そのため、一日に生成出来る日記データの数または容量を限定しておく構成を追加しておくことが好ましい。
【０２７７】
図６４は本実施形態１０に係るデータ管理システムの構成を示すブロック図である。当該データ管理システムにおいて、携帯端末装置７１００は、日記生成制限設定処理部７１０１と日記生成制限制御部とを具備する。
【０２７８】
日記生成制限設定処理部７１０１は、所定の期間内に生成出来る日記の数または容量に関する制限を設定する。例えば、生成される日記データが音声データである場合、日記生成制限設定処理部７１０１は、日記データ生成処理部６１０３において所定の期間内に行われる録音処理の長さを制限する設定を行う。例えば、日記データ生成処理部６１０３は、１日で録音出来る音声の長さを制限する設定を行う。当該日記データの生成の制限に関する情報は制限情報として補助記憶装置に記憶される。
【０２７９】
日記生成制限制御部７１０２は、日記生成制限設定処理部７１０１が設定する日記制限情報に基づいて、日記データ生成処理部６１０３で生成される日記データの数または容量を制御する処理を行う。
【０２８０】
日記データ生成処理部６１０３は、当該日記生成制限制御部７１０２からの制御に基づいて日記データを生成する処理を行う。例えば、日記生成制限制御部７１０２は、自ユーザより日記データ生成指示が操作入力部を介して入力された場合に、当該設定されている制限を満たしているかを判定する処理を行い、当該制限を満たしている場合に、日記データ生成処理部６１０３は、日記データの生成処理を行う。一方、当該制限を満たしていない場合、当該日記データ生成指示が入力されても日記データ生成処理部６１０３は、日記データの生成処理を行わない。
【０２８１】
日記生成制限設定処理部７１０１において設定される制限として、日記データとして１日に録音できる音声データが１つまでという制限が設定されている場合、日記データ生成処理部６１０３は、当該日付において音声データの録音処理が行われていない場合に、ユーザからの録音開始指示に基づいて録音処理を開始する。一方、既に録音処理が行われている場合は、ユーザからの録音開始指示が入力されても録音処理を開始しない。
【０２８２】
図６５は、当該日記生成処理に対する制限が行われる場合の日記生成処理の流れを示すフローチャート図である。送信先ユーザ設定処理部６１０１は、ユーザからの送信先ユーザ設定指示に基づいて、日記データ生成処理部６１０３で生成される日記データの送信先ユーザを設定する処理を行う（Ｓ１２０１）。続いて、再生可能タイミング設定処理部６１０２は、日記データ生成処理部６１０３で生成される日記データが予め送信先ユーザとして設定されているユーザの端末装置で生成可能となるタイミングを設定する処理を行う（Ｓ１２０２）。なお、当該再生可能タイミングは、日記データの送信が可能となる送信可能タイミングや、日記データとリンク付けされたアイコンが送信先ユーザの端末装置で表示可能となるアイコン表示可能タイミングや、データ管理サーバで当該日記データに対する当該送信先ユーザからのアクセスが可能となるアクセス可能タイミングと読み替えることが可能である。再生可能タイミングは、これらを網羅している。
【０２８３】
次に、日記生成制御設定処理部７１０１は、日記データ生成処理部６１０３において所定の期間内に生成できる日記データの数又は容量（日記データが音声形式である場合は録音時間）に対する制限を示す制限情報を設定する処理を行う（Ｓ１２０３）。
【０２８４】
次に、ユーザより日記データの生成開始指示が入力された場合（Ｓ１２０４でＹｅｓ）、日記生成制限制御部７１０２は、設定されている制限情報に基づいて、日記生成制限を満たしているかどうか、すなわち、日記データを生成することが可能かどうかを判定する（Ｓ１２０５）。
【０２８５】
当該判定の結果、日記生成制限を満たしている場合は、日記データ生成処理部６１０３は日記データの生成処理を開始する（Ｓ１２０６）。一方、日記生成制限を満たしていない場合は、処理を終了する。
【０２８６】
次に、ユーザより日記データの生成終了指示が入力された場合（Ｓ１２０７でＹｅｓ）、日記データ生成処理部６１０３は、日記データの生成処理を終了する（Ｓ１２０８）。次に、日記生成制限制御部７１０２は、日記生成に係る制限情報を更新する処理を行う（Ｓ１２０９）。したがって、再度日記生成開始指示が入力された場合、当該更新された制限情報に基づいてＳ１２０５の判定処理が行われるため、所定の期間内に生成できる日記データの数や容量として予め設定されている制限情報を既に満たしていない場合は、日記生成処理は開始されることなく処理が終了される。
【０２８７】
以上のように、本実施形態１０に係るデータ管理システムによれば、生成される日記の数や容量などに制限が加えられるため、過度に日記を生成してしまうことや過度に日記が送信先ユーザに送信されてしまうと言ったことを防ぐことができる。なお、上述した制限情報は予めデフォルトとして設定されている構成としても良い。
【０２８８】
なお、上記日記生成制限制御部７１０２は、所定の期間において、前記音声データの録音処理を行う条件を管理するため、音声データ録音条件管理部と称することがある。日記データ生成部６１０３である録音処理部は、ユーザより録音開始指示が入力された場合であって、前記音声データ録音条件管理部が管理する前記音声データの録音処理を行うための条件を満たしている場合に録音処理を開始する。
【０２８９】
（実施形態１２）
送信先ユーザが自分の日記データを再生したかどうかを確認したいと言う欲求がある。そこで、携帯端末装置が、日記データを再生したことを示す再生完了通知情報を生成する再生完了通知情報生成手段と、当該再生完了通知情報をデータ管理サーバを経由して日記データの送信元ユーザに送信する処理を行う再生完了通知情報送信処理手段と、他のユーザより送信された再生完了通知情報を受信する処理を行う再生完了通知情報受信処理手段を更に具備する構成とすると更に良好である。
【０２９０】
ここで、再生完了通知情報は、再生が完了した日記データを識別する日記識別情報が含まれている。画面表示処理部６１０９は、当該送信先ユーザからの再生完了通知情報に基づいて、当該再生完了通知情報に係る音声データが送信先ユーザによって再生されたことを示す文字またはアイコンを当該音声データにリンク付けされているオブジェクト付近に配置してカレンダー画面を表示する構成とすると更に良好である。
【０２９１】
なお、送信先ユーザで再生された日記データに対して、コメントを入力して返信する構成を備えると更に良好である。この場合、日記データ再生処理部が日記データを再生している途中又は再生が終了した後に、コメントを入力するコメント入力画面を表示部に表示する処理を行うコメント入力画面表示処理手段と、当該コメント入力画面を介して入力されたコメントを、当該再生に係る日記データの送信元ユーザにデータ管理サーバを経由して返信する処理を行うコメント返信処理手段と、他のユーザより返信されたコメントを受信するコメント受信処理手段と、当該受信されたコメントを画面に表示するコメント画面表示処理手段と、を更に具備する。当該構成とすることで、日記をつけるユーザは、当該日記を共有している他のユーザからの反応を確認することができるため、日記をつけるモチベーションを更に高めることができる。
【０２９２】
以上各実施形態で説明したように、本発明によれば高いモチベーションを維持しつつ日記を付けることが可能となる。なお、上述した実施形態は一例であり、発明の主題を変更しない限りにおいて適宜変更が可能である。例えば、上述した各実施形態を適宜組み合わせることが可能である。
【０２９３】
また、上述した各処理機能はハードウェアとソフトウェアの恊働によって実現することが可能である。したがって、上述した発明は、以下のような形態を取ることも当然可能である。
【０２９４】
本発明は、ユーザからの送信先ユーザ設定指示に基づいて音声データの送信先となる送信先ユーザを設定する処理を行う送信先ユーザ設定処理ステップと、ユーザからの再生可能タイミング設定指示に基づいて、前記送信先ユーザの端末装置において前記音声データの再生が可能となるタイミングを設定する処理を行う再生可能タイミング設定処理ステップと、自ユーザからの録音開始指示に基づいて録音処理を行う録音処理ステップと、前記録音処理によって生成される音声データを、録音処理が行われた日時と関連付けた状態で記憶する処理を行う自ユーザ音声データ記憶処理ステップと、前記録音処理で生成された音声データを録音された日時と関連付けた状態で所定のデータ管理サーバへ送信する処理を行う音声データ送信処理ステップと、自ユーザを送信先ユーザとして設定している他のユーザの音声データを、前記他のユーザの端末装置において録音処理が行われた日時と関連付けた状態で受信する音声データ受信ステップと、前記受信された他のユーザの音声データを前記他のユーザの端末装置において録音処理が行われた日時と関連付けた状態で記憶する処理を行う他ユーザ音声データ記憶処理ステップと、前記記憶されている他のユーザの音声データであって、再生可能タイミングを経過している音声データとリンク付けされているアイコンを所定の領域に配置した画面を表示パネルに表示する処理を行う表示処理ステップと、前記アイコンに対する指示操作に基づいて、前記アイコンにリンク付けされている音声データを再生する処理を行う音声再生処理ステップと、を情報処理装置に実行させるプログラムの形態を取ることが可能である。
【０２９５】
また、本発明は、再生可能タイミングを示す再生可能タイミング情報を登録する再生可能タイミング情報登録ステップと、前記再生可能タイミング情報に基づいて、前記記憶されている他のユーザの音声データであって、前記再生可能タイミングを経過した音声データを再生可能状態に変更する処理を行う再生可能状態変更処理ステップと、を情報処理装置に更に実行させるプログラムとすることが可能である。
【０２９６】
（付記１）  
データ管理サーバと複数の端末装置を含んで構成されるデータ管理システムであって、
前記データ管理サーバは、複数のユーザ又は端末装置の情報を関連づけた状態で管理するユーザ管理手段と、第１ユーザの端末装置で録音処理が行われた後に送信される音声データを受信する処理を行うサーバ側受信処理手段と、前記音声データを前記第１ユーザと関連付けられている第２ユーザの端末装置に送信する処理を行うサーバ側送信処理手段と、
を具備し、前記端末装置は、マイクロフォンより入力される音声を録音して音声データを生成する処理を行う録音処理手段と、前記生成される音声データを前記データ管理サーバへ送信する処理を行う送信処理手段と、自ユーザと関連付けられた他のユーザの端末装置における録音処理で生成された音声データを前記データ管理サーバより受信する処理を行う受信処理手段と、前記音声データを前記録音処理が行われた日付と関連づけた状態で記憶媒体に記憶する処理を行う記憶処理手段と、前記音声データにリンク付けされたオブジェクトを前記音声データと関連付けられた日付の日付領域に配置したカレンダー画面を表示パネルに表示する処理を行うカレンダー画面表示処理手段と、前記表示されたオブジェクトに対する指示操作に基づいて、前記オブジェクトにリンク付けされた前記音声データを再生する処理を行う音声データ再生処理手段と、を具備するデータ管理システム。
（付記２）
前記録音処理で生成される音声データを前記データ管理サーバへ自動で送信するか手動で送信するかを設定する音声データ送信設定手段を更に具備し、前記音声データを自動で送信する設定が行われている場合、前記送信処理手段は前記録音処理で生成された音声データを、ユーザからの指示操作を受けずに前記データ管理サーバへ送信する処理を行う、付記１に記載のデータ管理システム。
（付記３）
前記音声データを手動で送信する設定が行われている場合、前記録音処理が行われている間又は前記録音処理が終わった後に、録音処理で生成された音声データを予め関連付けられている他のユーザと共有するかどうかを選択する共有選択ボタンを表示パネルに表示する処理を行う共有選択ボタン表示処理手段を更に具備する、
付記２に記載のデータ管理システム。
（付記４）
前記送信処理手段は、前記録音処理によって生成される前記音声データと前記音声データを共有することを示す共有指定情報を前記データ管理サーバに送信する処理を行い、  前記サーバ側データ送信処理手段は、前記音声データの送信元ユーザと関連付けられているユーザの端末装置に前記共有指定情報によって指定されている音声データを送信する処理を行う、付記３に記載のデータ管理システム。
（付記５）
前記送信処理手段は、前記共有選択ボタンに対する指示操作に基づいて前記音声データを前記データ管理サーバに送信する処理を行い、前記サーバ側データ送信処理手段は、前記音声データの送信元ユーザと関連付けられているユーザの端末装置に前記音声データを送信する処理を行う、付記３に記載のデータ管理システム。
（付記６）
前記データ管理サーバは、第１ユーザの音声データを格納する第１プライベートフォルダを生成する処理を行う第１プライベートフォルダ生成処理手段と、前記第１ユーザと関連付けられた第２ユーザと共有する音声データを格納する共有フォルダを生成する処理を行う共有フォルダ生成処理手段と、前記第２ユーザの音声データを格納する第２プライベートフォルダを生成する処理を行う第２プライベートフォルダ生成処理手段と、前記サーバ側受信処理手段で受信された音声データを所定のフォルダに格納する処理を行う音声データ格納処理手段と、を更に具備する、付記１乃至５のいずれか１項に記載のデータ管理システム。
（付記６）
前記音声データ格納処理手段は、前記サーバ側受信処理手段で受信された前記第１ユーザの端末装置における録音処理で生成された共有用の音声データを前記共有フォルダに格納する処理を行い、前記サーバ側送信処理手段は、前記共有フォルダに格納されている前記音声データを前記第２ユーザの端末装置に送信する処理を行う、付記６に記載のデータ管理システム。
（付記７）
前記音声データ格納処理手段は、前記サーバ側受信処理手段で受信された前記第１ユーザの端末装置における録音処理で生成された共有用の音声データを前記第２プライベートフォルダに格納する処理を行い、前記サーバ側送信処理手段は、前記第２プライベートフォルダに格納されている前記音声データを前記第２ユーザの端末装置に送信する処理を行う、付記６に記載のデータ管理システム。
（付記８）
前記データ管理サーバは、各ユーザの音声データをそれぞれ格納するユーザ毎のプライベートフォルダを生成する処理を行うプライベートフォルダ生成処理手段と、前記サーバ側受信処理手段で受信された音声データを対応するユーザのプライベートフォルダに格納する処理を行う音声データ格納処理手段と、前記プライベートフォルダに対する他のユーザからのアクセス権限を管理するアクセス権限管理手段と、を更に具備し、前記送信処理手段は、所定のユーザのプライベートフォルダに格納されている音声データに対する送信要求がアクセス権限を有する他のユーザから出された場合に、前記他のユーザに前記音声データを送信する処理を行う、付記６に記載のデータ管理システム。
（付記９）
各ユーザの端末装置よりIPアドレス情報を受信する処理を行うIPアドレス情報受信処理手段を更に具備し、前記ユーザ管理手段は、前記IPアドレス情報に基づいて各ユーザのIPアドレスを管理し、前記サーバ側送信処理手段は、未送信の共有される音声データを前記ユーザ管理手段が管理している前記第２ユーザのIPアドレスに基づいて前記第２ユーザの端末装置に送信する処理を行う、付記１に記載のデータ管理システム。
（付記１０）
前記カレンダー画面表示処理手段は、自ユーザの音声データにリンク付けされた自ユーザオブジェクトと、他ユーザの音声データにリンク付けされた他ユーザオブジェクトをそれぞれ前記音声データと関連付けられた日付の日付領域に合わせて配置したカレンダー画面を表示パネルに表示する処理を行う、付記１乃至９のいずれか１項に記載のデータ管理システム。
（付記１１）
前記カレンダー画面表示処理手段は、自ユーザの音声データにリンク付けされた自ユーザオブジェクトを前記音声データと関連付けられた日付の日付領域に合わせて配置した自ユーザカレンダー画面と、他ユーザの音声データにリンク付けされた他ユーザオブジェクトを前記音声データと関連付けられた日付の日付領域に合わせて配置した他ユーザカレンダー画面とをユーザからの操作指示に基づいて切り替えて表示パネルに表示する処理を行う、付記１乃至１０のいずれか１項に記載のデータ管理システム。
（付記１２）
前記カレンダー画面表示処理手段は、自ユーザの音声データにリンク付けされた自ユーザオブジェクトを前記音声データと関連付けられた日付の日付領域に合わせて配置した自ユーザカレンダー画面と、他ユーザの音声データにリンク付けされた他ユーザオブジェクトを前記音声データと関連付けられた日付の日付領域に合わせて配置した他ユーザ毎の個別他ユーザカレンダー画面とをユーザからの操作指示に基づいて切り替えて表示パネルに表示する処理を行う、付記１乃至１１のいずれか１項に記載のデータ管理システム。
（付記１３）
前記録音処理中又は録音処理後に複数種類のオブジェクトを画面に表示する処理を行うオブジェクト選択画面表示処理手段と、前記オブジェクトに対する操作指示に基づいて、操作指示が行われたオブジェクトを示す指定オブジェクト情報を前記録音処理で生成される音声データと関連付けた状態で記憶媒体に記憶する処理を行う指定オブジェクト記憶処理手段を更に具備し、前記送信処理手段は、前記音声データに関連付けされている指定オブジェクト情報を合わせて前記音声データをデータ管理サーバに送信する処理を行い、  前記サーバ側送信処理手段は、前記音声データと前記関連付けされている指定オブジェクト情報を端末装置へ送信する処理を行い、前記カレンダー画面表示処理手段は、前記音声データにリンク付けされたユーザオブジェクトであって前記指定オブジェクト情報で指定されるオブジェクトを前記音声データと関連付けられた日付の日付領域に合わせて配置したカレンダー画面を表示パネルに表示する処理を行う、付記１乃至１２のいずれか１項に記載のデータ管理システム。
（付記１４）
前記オブジェクト選択画面表示処理手段は、録音処理後に複数種類のオブジェクトを画面に所定の時間表示する処理を行い、前記指定オブジェクト記憶処理手段は、前記所定の時間経過までに前記オブジェクトに対する操作指示が行われた場合に、前記操作指示が行われたオブジェクトを示す指定オブジェクト情報を前記録音処理で生成される音声データと関連付けた状態で記憶媒体に記憶する処理を行う、付記１３に記載のデータ管理システム。
（付記１５）
前記再生処理中又は再生処理後に所定のオブジェクトを画面に表示する処理を行う評価オブジェクト選択画面表示処理手段と、前記オブジェクトに対する操作指示に基づいて、前記オブジェクトに対する操作指示が行われたことを示す評価オブジェクト情報を前記再生処理に係る音声データを特定する音声データ管理情報と関連付けた状態で記憶媒体に記憶する処理を行う評価オブジェクト記憶処理手段を更に具備し、前記送信処理手段は、前記オブジェクトに対する操作指示が行われた場合に、前記評価オブジェクト情報を前記音声データ管理情報と関連付けた状態で前記データ管理サーバに送信する処理を行い、前記サーバ側送信処理手段は、前記評価オブジェクト情報を前記音声データ管理情報を端末装置へ送信する処理を行い、前記カレンダー画面表示処理手段は、前記音声データにリンク付けされたユーザオブジェクトと前記評価オブジェクト情報で示される内容を前記前記音声データと関連付けられた日付の日付領域に合わせて配置したカレンダー画面を表示パネルに表示する処理を行う、付記１乃至１４のいずれか１項に記載のデータ管理システム。
（付記１６）
前記再生処理中又は再生処理後に返信コメント用ボタンを画面に表示する処理を行う返信コメント用画面表示処理手段と、前記返信コメント用ボタンに対する操作指示に基づいて録音処理を行い、返信コメント用音声データを生成する返信コメント録音処理手段を更に具備し、前記返信コメント用音声データを前記再生に係る音声データを特定する音声データ管理情報と関連付けた状態で記憶媒体に記憶する処理を行う返信コメント記憶処理手段を更に具備し、前記送信処理手段は、前記返信コメント用音声データを前記音声データ管理情報と関連付けた状態で前記データ管理サーバに送信する処理を行い、前記サーバ側送信処理手段は、前記返信コメント用音声データを前記音声データ管理情報を端末装置へ送信する処理を行い、前記カレンダー画面表示処理手段は、前記音声データにリンク付けされたユーザオブジェクトと前記音声データに対する前記返信コメント用音声データにリンク付けされた返信コメント用オブジェクトとを関連付けられた日付の日付領域に合わせて配置したカレンダー画面を表示パネルに表示する処理を行う、付記１乃至１５のいずれか１項に記載のデータ管理システム。
【産業上の利用可能性】
【０２９７】
本発明に係る携帯端末装置は、日々の出来事や感じたこと、学んだことなどを人々が手軽かつ持続的に日記として記録できることで一日一日を大切に生き、充実した人生をサポートすることに利用する事ができる。また、本発明はメッセージアプリケーションとして利用することも可能である。
【符号の説明】
【０２９８】
１１  表示部（表示パネル）             １２  操作入力部（タッチパネル）
１３  音声入力部（マイクロフォン）     １４  音声出力部（スピーカ）
１５  映像撮影部（カメラ）             １６  情報処理装置（CPU）
１７  主記憶装置（DRAM）                       １８  補助記憶装置（HDD, SSD）
１０１  トップ画面     （第１画面）           １０２  音声日記ボタン（録音ボタン）
１０３  メインカレンダー表示ボタン             １０４  設定ボタン
１０５  メインカレンダー画面（第２画面）       １０６  メインカレンダー
１０７  音声日記アイコン                       １０８  再生パネル
１０９  リターンボタン                 １１０  トップ画面表示処理部
１１１  録音処理部                             １１２  音声データ記憶処理部
１１３  カレンダー画面表示処理部               １１４  音声データ再生処理部
１１５  録音時間設定処理部                     １１６  録音画面表示処理部
１１７  時間計測処理部                 １１８  延長時間設定処理部
１１９  録音時間延長処理部                     １２０  連続再生設定処理部
１２１  録音画面                               １２３  録音時間延長ボタン
１２４  録音時間表示欄
２００  携帯端末装置                   ２０１  トップ画面
２０２  文章日記ボタン                 ２０３  サブカレンダー
２０４  サブカレンダー引き出しボタン   ２０５  音声日記アイコン
２０６  文章日記アイコン                       ２０７  文章日記入力画面
２０８  ソフトキーボード                       ２０９  文章日記表示領域
２１０  書き込みボタン                 ２１１  キャンセルボタン
２１２  トップボタン                   ２２１  文章日記入力画面表示処理部
２２２  文章データ生成処理部           ２２３  文章データ記憶処理部
２２４  カレンダー日付変更処理部               ２２５  サブカレンダー表示変更処理部
３００  携帯端末装置                   ３０１  トップ画面（第１画面）
３０２  表示領域                               ３２６  日付総数データ更新処理部
３２７  日付総数データ記憶処理部               ３２８  更新ポイント数算出処理部
３２９  ポイント総数データ更新処理部   ３３０  ポイント総数データ記憶処理部
４００  携帯端末装置                   ４３１  ユーザ情報設定画面表示処理部
４３２  ユーザ情報設定処理部           ４３３  ユーザ認証要否判定処理部
４３４  ユーザ認証処理部                       ４３５  ユーザ認証条件設定処理部
５００  携帯端末装置                   ５０１  トップ画面（第１画面）
５０２  アラーム設定画面表示ボタン             ５０３  アラーム設定画面
５０４  アラーム時刻入力欄                     ５０５  アラーム時間間隔入力欄
５０６  アラーム画面（第７画面）               ５０７  アラーム停止ボタン
５０８  メッセージ欄                   ５３６  アラーム設定画面表示処理部
５３７  アラーム設定処理部                     ５３８  アラーム制御部
５３９  アラーム音声データ再生処理部   ５４０  アラーム画面表示処理部
５４１  通信処理部                             ５４２  広告画面表示処理部
５４３  広告データ記憶処理部           １１００  広告配信サーバ
１１０１  通信処理部                   １１０２  広告データ選択処理部
１２００  広告データベース                     ２１００  端末装置
２１０６  カレンダー                   ２１０７  音声日記アイコン
２１０８  音声日記アイコン                     ２１４４  送信処理部   
２１４５  受信処理部                   ２１４６  カレンダー画面表示処理部     
２１４７  IPアドレス通知処理部        ２２００  データ管理サーバ
２２０１  ユーザ管理部                 ２２０２  サーバ側受信処理部
２２０３  サーバ側送信処理部           ２２０４  フォルダ生成処理部
２２０５  サーバ側音声データ格納処理部 ２３００  ユーザ情報データベース
２４００  音声データベース
３１００  端末装置                             ３１０１  送信設定画面（第８画面）
３１０２  自動送信ボタン                       ３１０３  手動送信ボタン
３１０４  設定パネル                   ３１０５  送信選択画面（第９画面）
３１０６  音声データ送信ボタン         ３１４８  送信設定画面表示処理部
３１４９  送信設定処理部                       ３１５０  送信選択画面表示処理部
４１００  端末装置                             ４１０１  送信タイミング設定画面（第１０画面）
４１０２  設定欄                               ４１０３  送信時間帯設定欄
４１５１  送信タイミング設定画面表示処理部     ４１５２  送信タイミング設定処理部
４１５３  送信タイミング判定処理部             ４２００  データ管理サーバ
４２０６  サーバ側送信タイミング設定処理部     ４２０７  サーバ側音声データ移動処理部
５１００  端末装置                             ５１５３  音声データ送信先ユーザ設定処理部
５１５４  再生可能タイミング設定処理部
６１００  端末装置                             ６１０１  送信先ユーザ設定処理部
６１０２  再生可能タイミング設定処理部 ６１０３  日記データ生成処理部
６１０４  自ユーザ日記データ記憶処理部 ６１０５  自ユーザ日記データ送信処理部
６１０６  他ユーザ日記データ受信処理部 ６１０７  他ユーザ日記データ記憶処理部
６１０８  再生可能状態変更処理部               ６１０９  画面表示処理部
６１１０  日記データ再生処理部         ６１１１  再生可能アイコン
６１１２  再生不可能アイコン
６２００  データ管理サーバ
６２０１  ユーザ情報登録処理部         ６２０２  フォルダ生成処理部
６２０３  サーバ側送信先ユーザ設定処理部       
６２０４  サーバ側再生可能タイミング設定処理部
６２０５  日記データ受信処理部         ６２０６  日記データ格納処理部
６２０７  日記データ抽出処理部         ６２０８  日記データ送信処理部
６２０９  サーバ側送信可能状態変更処理部
７１００  端末装置                             ７１０１  日記生成制限設定処理部
７１０２  日記生成制限制御部
【図１】
2015176164.tif 000003
【図２】
2015176164.tif 000004
【図３】
2015176164.tif 000005
【図４】
2015176164.tif 000006
【図５】
2015176164.tif 000007
【図６】
2015176164.tif 000008
【図７】
2015176164.tif 000009
【図８】
2015176164.tif 000010
【図９】
2015176164.tif 000011
【図１０】
2015176164.tif 000012
【図１１】
2015176164.tif 000013
【図１２】
2015176164.tif 000014
【図１３】
2015176164.tif 000015
【図１４】
2015176164.tif 000016
【図１５】
2015176164.tif 000017
【図１６】
2015176164.tif 000018
【図１７】
2015176164.tif 000019
【図１８】
2015176164.tif 000020
【図１９】
2015176164.tif 000021
【図２０】
2015176164.tif 000022
【図２１】
2015176164.tif 000023
【図２２】
2015176164.tif 000024
【図２３】
2015176164.tif 000025
【図２４】
2015176164.tif 000026
【図２５】
2015176164.tif 000027
【図２６】
2015176164.tif 000028
【図２７】
2015176164.tif 000029
【図２８】
2015176164.tif 000030
【図２９】
2015176164.tif 000031
【図３０】
2015176164.tif 000032
【図３１】
2015176164.tif 000033
【図３２】
2015176164.tif 000034
【図３３】
2015176164.tif 000035
【図３４】
2015176164.tif 000036
【図３５】
2015176164.tif 000037
【図３６】
2015176164.tif 000038
【図３７】
2015176164.tif 000039
【図３８】
2015176164.tif 000040
【図３９】
2015176164.tif 000041
【図４０】
2015176164.tif 000042
【図４１】
2015176164.tif 000043
【図４２】
2015176164.tif 000044
【図４３】
2015176164.tif 000045
【図４４】
2015176164.tif 000046
【図４５】
2015176164.tif 000047
【図４６】
2015176164.tif 000048
【図４７】
2015176164.tif 000049
【図４８】
2015176164.tif 000050
【図４９】
2015176164.tif 000051
【図５０】
2015176164.tif 000052
【図５１】
2015176164.tif 000053
【図５２】
2015176164.tif 000054
【図５３】
2015176164.tif 000055
【図５４】
2015176164.tif 000056
【図５５】
2015176164.tif 000057
【図５６】
2015176164.tif 000058
【図５７】
2015176164.tif 000059
【図５８】
2015176164.tif 000060
【図５９】
2015176164.tif 000061
【図６０】
2015176164.tif 000062
【図６１】
2015176164.tif 000063
【図６２】
2015176164.tif 000064
【図６３】
2015176164.tif 000065
【図６４】
2015176164.tif 000066
【図６５】
2015176164.tif 000067